(57)【特許請求の範囲】
【請求項１】
以下の式、
Ｘ３−ｎＲａｎＳｉ−Ｙ−Ｇ
［式中、
ｎは、０、１、又は２であり、
各Ｒａは、存在する場合には、独立してアルキル、アラルキル、又はアリールであり、
Ｙは、２〜２０個の炭素原子を有するアルキレンを含む２価の基であり、
Ｇは、式−ＮＨ−Ｃ（＝ＮＨ）−ＮＨ２で表されるグアニジン基であり、
各Ｘは、独立してアルコキシ又はアシルオキシである。］
を有する少なくとも１個のシランによって修飾されたパーライト粒子を含むグアニジン官能化パーライト粒子。
【請求項２】
Ｘ線光電子分光法（ＸＰＳ）によって測定した場合、少なくとも２原子パーセントの表面窒素濃度を有する、請求項１に記載のグアニジン官能化パーライト粒子。
【請求項３】
ａ）繊維性多孔質マトリックスと、ｂ）前記繊維性多孔質マトリックス内に捕らえられた複数のグアニジン官能化パーライト粒子と、を含み、
複数の前記グアニジン官能化パーライト粒子が、以下の式、
Ｘ３−ｎＲａｎＳｉ−Ｙ−Ｇ
［式中、
ｎは、０、１、又は２であり、
各Ｒａは、存在する場合には、独立してアルキル、アラルキル、又はアリールであり、
Ｙは、２〜２０個の炭素原子を有するアルキレンを含む２価の基であり、
Ｇは、式−ＮＨ−Ｃ（＝ＮＨ）−ＮＨ２で表されるグアニジン基であり、
各Ｘは、独立してアルコキシ又はアシルオキシである。］
を有する少なくとも１個のシランによって修飾されたパーライト粒子を含む、不織布物品。
【請求項４】
前記繊維性多孔質マトリックスがポリマー繊維及び無機繊維を含む不織繊維層である、請求項３に記載の不織布物品。
【請求項５】
前記繊維性多孔質マトリックスが捲縮していないポリマー繊維を含む不織繊維層である、請求項３又は４に記載の不織布物品。
【請求項６】
ａ．第１の基材と、
ｂ．前記第１の基材の外周の少なくとも一部に沿って前記第１の基材に封止された第２の基材と、
ｃ．前記第１の基材と前記第２の基材との間に配置された複数のグアニジン官能化パーライト粒子と、を含み、
複数の前記グアニジン官能化パーライト粒子が、以下の式、
Ｘ３−ｎＲａｎＳｉ−Ｙ−Ｇ
［式中、
ｎは、０、１、又は２であり、
各Ｒａは、存在する場合には、独立してアルキル、アラルキル、又はアリールであり、
Ｙは、２〜２０個の炭素原子を有するアルキレンを含む２価の基であり、
Ｇは、式−ＮＨ−Ｃ（＝ＮＨ）−ＮＨ２で表されるグアニジン基であり、
各Ｘは、独立してアルコキシ又はアシルオキシである。］
を有する少なくとも１個のシランによって修飾されたパーライト粒子を含む、積層物品。
【請求項７】
ａ）請求項６に記載の積層物品を準備する工程と、
ｂ）少なくとも１種類の微生物株又は標的細胞検体を含有すると疑われる流体試料を準備する工程と、
ｃ）前記少なくとも１種類の微生物株又は標的細胞検体の少なくとも一部分が前記積層物品に結合するように前記流体試料を前記積層物品と接触させる工程と、
ｄ）前記少なくとも１種類の結合した微生物株又は結合した標的細胞検体の存在を検出する工程と、
を含む、流体試料中の微生物又は標的細胞検体を検出する方法。
【請求項８】
ａ）請求項１又は２に記載の複数のグアニジン官能化パーライト粒子を準備する工程と、
ｂ）少なくとも１種類の微生物株又は標的細胞検体を含有すると疑われる流体試料を準備する工程と、
ｃ）前記少なくとも１種類の微生物株又は標的細胞検体の少なくとも一部分が前記グアニジン官能化パーライト粒子に結合するように前記流体試料を前記複数のグアニジン官能化パーライト粒子と接触させる工程と、
ｄ）前記少なくとも１種類の結合した微生物株又は結合した標的細胞検体の存在を検出する工程と、
を含む、流体試料中の微生物又は標的細胞検体を検出する方法。
【請求項９】
前記結合した標的細胞検体が、核酸、タンパク質、細胞壁成分、ＡＴＰ、又はこれらの組み合わせを含む、請求項７又は８に記載の方法。
【請求項１０】
前記接触させる工程が、前記流体試料を、４．０ポンド／平方インチ（ｐｓｉ）（２７．５８キロパスカル（ｋＰａ））以下の圧力で前記積層物品に通過させる工程を含む、請求項７に記載の方法。
【発明の詳細な説明】
【発明の詳細な説明】
【０００１】
（分野）
本開示は、グアニジン官能化パーライト粒子、不織布物品、積層物品、並びに流体試料中の微生物を検出するためなどの粒子、不織布物品、及び積層物品の使用方法に関する。
【０００２】
（背景）
存在する微生物の同定及び／又は定量測定を行うために、様々な医療、食品、環境、又はその他の試料中における、細菌又は他の微生物の存在を検定することが、望ましい又は必要であることが多い。例えば、たとえ他の細菌の存在下であっても、特定の細菌種の存在又は不在を検査するために、細菌ＤＮＡ又は細菌ＲＮＡの検査を行うことができる。しかしながら、特定の細菌の存在を検出する能力は、少なくとも部分的に、分析される試料中の細菌の濃度に依存する。試料中の細菌を濃縮することで、培養時間を短縮することができ、培養の工程の必要を排除することすら可能になる。よって、菌株に特異的な抗体を使用することによって、特定の細菌株を分離する（及びこれにより濃縮する）ための方法が（例えば、抗体をコーティングした磁石又は非磁石粒子の形態で）開発されている。しかしながら、このような方法は高価になり、少なくとも一部の診断用途に望まれる方法よりも依然としてやや遅い傾向がある。微生物の非特異的な濃縮又は捕捉は、炭水化物とレクチンタンパク質との相互作用に基づいた方法によって達成されている。様々な無機物質（例えば、ヒドロキシアパタイト及び金属水酸化物）もまた、細菌に非特異的に結合しこれを濃縮するために使用されている。このような非特異的濃縮法は、速度、費用、試料要件、空間要件、使いやすさ、現場使用の適格性、及び／又は有効性が異なる。
【０００３】
ＡＴＰ生物発光試験に基づく迅速な方法は、即座に結果を提供するため水中の微生物汚染を判定するために使用されてきたが、この方法は、検出可能な応答を誘導するためには少なくとも１×１０５コロニー形成単位（ｃｆｕ）／ｍＬを必要とするため、検出感度により制限される。ＡＴＰ生物発光試験の感度は、大量の試料（例えば、１００ｍＬ）を使用することにより増加させることができるが、このような方法は当分野での実施が困難である可能性がある。
【０００４】
（概要）
グアニジン官能化パーライト粒子並びに粒子を含む不織布物品及び積層物品が提供され、これらは流体試料中の微生物及び／又は細胞検体を検出するために使用できる。
【０００５】
第１の態様では、グアニジン官能化パーライト粒子が提供される。グアニジン官能化パーライト粒子は、式Ｘ３−ｎＲａｎＳｉ−Ｙ−Ｇを有する少なくとも１個のシランによって修飾されたパーライト粒子を含む。式中、ｎは０、１又は２であり、各Ｒａは、存在する場合には、独立してアルキル、アラルキル又はアリールである。式中、Ｙは、２〜２０個の炭素原子を有するアルキレンを含む２価の基であり、Ｇは、式−ＮＨ−Ｃ（＝ＮＨ）−ＮＨ２のグアニジン基であり、各Ｘは、独立してアルコキシ又はアシルオキシである。
【０００６】
第２の態様では、不織布物品が提供される。不織布物品は、繊維性多孔質マトリックスと、繊維性多孔質マトリックス内に捕らえられた（enmeshed）複数のグアニジン官能化パーライト粒子と、を含む。
【０００７】
第３の態様では、積層物品が提供される。積層物品は、第１の基材と、第１の基材の外周の少なくとも一部に沿って第１の基材に封止された第２の基材と、を含む。積層物品は、第１の基材と第２の基材との間に配置された複数のグアニジン官能化パーライト粒子を更に含む。
【０００８】
第４の態様では、流体試料中の微生物又は標的細胞検体を検出する方法が提供される。本方法は、第３の態様に係る積層物品を準備する工程と、少なくとも１種類の微生物株又は標的細胞検体を含有すると疑われる流体試料を準備する工程と、を含む。本方法は、少なくとも１種類の微生物株又は標的細胞検体の少なくとも一部分が積層物品に結合するように流体試料を積層物品と接触させる工程と、少なくとも１種類の結合した微生物株又は結合した標的細胞検体の存在を検出する工程と、を更に含む。
【０００９】
第５の態様では、流体試料中の微生物又は標的細胞検体を検出する別の方法が提供される。本方法は、第２の態様に係る複数のグアニジン官能化パーライト粒子を準備する工程と、少なくとも１種類の微生物株又は標的細胞検体を含有すると疑われる流体試料を準備する工程と、を含む。本方法は、少なくとも１種類の微生物株又は標的細胞検体の少なくとも一部分がグアニジン官能化パーライト粒子に結合するように流体試料を複数のグアニジン官能化パーライト粒子と接触させる工程と、少なくとも１種類の結合した微生物株又は結合した標的細胞検体の存在を検出する工程と、を更に含む。
【図面の簡単な説明】
【００１０】
【図１】実施例１の代表的なグアニジン官能化パーライト粒子の走査型電子顕微鏡（ＳＥＭ）画像である。
【図２】実施例３の例示的な不織布物品のＳＥＭ画像である。
【００１１】
（詳細な説明）
グアニジン官能化パーライト粒子、粒子を含む不織布物品及び積層物品、並びに流体試料の微生物含有量の迅速な監視方法が提供される。グアニジン官能化粒子によって、少なくとも１種類の微生物又は標的細胞検体を濃縮し、結合した微生物又は標的細胞検体の検出を可能にする。グアニジン官能化粒子、不織布物品及び積層物品は、大量の流体試料と接触して微生物及び／又は標的細胞検体を濃縮でき、また検出前に汚染物質を除去するための更なる所望による洗浄も可能となる。
本開示に係る方法は、約１５分で流体試料中の細菌汚染を迅速に検出できる。
したがって、グアニジン官能化粒子、不織布物品、積層物品及び方法は、流体試料中の微生物及び標的細胞検体の現場での検出に好適であり得る。
【００１２】
以下の定義された用語の用語集に関して、別の定義が特許請求の範囲又は本明細書の他の箇所において示されない限り、これらの定義が本明細書全体で適用されるものとする。
【００１３】
用語集
明細書及び特許請求の範囲の全体を通して特定の用語が使用されており、大部分は周知であるが、いくらか説明を必要とするものもある。本明細書で使用される場合、以下のように理解すべきである。
【００１４】
用語「１つの（a）」、「１つの（an）」、及び「その（the）」は、「少なくとも１つの」と同義に使用され、記載される要素のうちの１つ以上を意味する。
【００１５】
用語「及び／又は（and／or）」は、一方又は両方を意味する。例えば「Ａ及び／又はＢ」は、Ａのみ、Ｂのみ、又はＡ及びＢの双方を意味する。
【００１６】
本明細書で使用するとき、末端値による数値範囲での記述には、その範囲内に包含されるあらゆる数値が含まれる（例えば、１〜５には１、１．５、２、２．７５、３、３．８、４、及び５が含まれる）。
【００１７】
特に指示がない限り、本明細書及び実施形態で使用する量又は成分、特性の測定値などを表す全ての数は、全ての場合、「約」という用語によって修飾されていると理解するものとする。したがって、特に指示がない限り、前述の明細書及び添付の実施形態の列挙において示す数値パラメータは、本開示の教示を利用して当業者が得ようとする所望の特性に依存して変化しうる。最低でも、請求項記載の実施形態の範囲への均等論の適用を限定する試みとしてではなく、報告される有効桁の数に照らして、通常の四捨五入を適用することにより、各数値パラメータは少なくとも解釈されるべきである。
【００１８】
用語「含む／包含する（comprises）」及びその変化形は、それらの用語が本明細書及び特許請求の範囲に現れる場合、限定的な意味を有するものではない。
【００１９】
用語「〜から本質的になる」は、所与の組成物又は生成物の所望の特性に著しく影響しない追加の材料の存在を除外しない。
【００２０】
「好ましい」及び「好ましくは」という言葉は、一定の状況下で一定の利益を提供できる、本開示の実施形態を指す。しかしながら、同じ又は他の状況下で、他の実施形態がまた好ましくてもよい。更には、１つ以上の好ましい実施形態の記載は、他の実施形態が有用ではないことを示唆するものではなく、本開示の範囲から他の実施形態を排除することを意図するものではない。
【００２１】
用語「アシルオキシ」とは、化学式−Ｏ（ＣＯ）Ｒの１価の基を意味し、式中、Ｒは、アルキル基である。
【００２２】
用語「アルコキシ」とは、式−ＯＲの１価の基を意味し、式中、Ｒはアルキル基である。
【００２３】
用語「アルキル」とは、アルカンのラジカルである１価の基を意味し、直鎖、分岐鎖、環状、又はそれらの組み合わせである基を含む。アルキル基は通常、１〜３０個の炭素原子を有する。いくつかの実施形態では、アルキル基は、１〜２０個の炭素原子、１〜１０個の炭素原子、１〜６個の炭素原子又は１〜４個の炭素原子を含有する。アルキル基の例としては、メチル、エチル、ｎ−プロピル、イソプロピル、ｎ−ブチル、イソブチル、ｔｅｒｔ−ブチル、ｎ−ペンチル、ｎ−ヘキシル、シクロヘキシル、ｎ−ヘプチル、ｎ−オクチル、及びエチルヘキシルが挙げられるが、これらに限定されない。
【００２４】
用語「アルキレン」は、アルカンのラジカルである２価の基を指す。アルキレンは、直鎖、分岐鎖、環状、又はそれらの組み合わせであることができる。典型的には、アルキレンは１〜２００個の炭素原子を有する。いくつかの実施形態では、アルキレンは、１〜１００個の炭素原子、１〜８０個の炭素原子、１〜５０個の炭素原子、１〜３０個の炭素原子、１〜２０個の炭素原子、１〜１０個の炭素原子又は１〜４個の炭素原子を含有する。アルキレンのラジカル中心は、同一炭素原子上に（即ち、アルキリデン）あっても、又は異なる炭素原子上にあってもよい。
【００２５】
用語「アラルキル」は、化合物Ｒ−Ａｒのラジカルである１価の基を意味し、式中、Ａｒは芳香族炭素環基であり、Ｒはアルキル基である。
【００２６】
用語「アリール」は、芳香族炭素環式化合物のラジカルである１価の基を意味する。アリールは１つの芳香環を有することができ、又は芳香環に結合又は縮合する５つまでの他の炭素環を含むことができる。その他の炭素環は、芳香族、非芳香族、又はこれらの組み合わせであることができる。アリール基の例としては、フェニル、ビフェニル、テルフェニル、アントリル、ナフチル、アセナフチル、アントラキノニル、フェナントリル、アントラセニル、ピレニル、ペリレニル、及びフルオレニルが挙げられるが、これらに限定されない。
【００２７】
用語「細胞検体」は、細胞起源の検体（即ち、微生物又はその構成要素（例えば、細胞又は細胞要素、例えば、デオキシリボ核酸（ＤＮＡ）若しくはリボ核酸（ＲＮＡ）、タンパク質、アデノシン三リン酸（ＡＴＰ）などのヌクレオチドなど、及びそれらの組み合わせ））を意味し、本明細書における微生物又は微生物株といった記載は、あらゆる細胞検体に一般的に適用されることが意図されている。
【００２８】
用語「濃縮剤」は、流体試料からの微生物及び／又は細胞検体を結合させ（好ましくは、少なくとも約６０パーセント、又は少なくとも約７０パーセント、又は少なくとも約８０パーセント、又は少なくとも約９０パーセントの細胞検体捕捉又は結合効率を有する）、これにより微生物及び／又は細胞検体を流体試料中に存在していたときよりも少量へと濃縮する物質又は組成物を意味する。本開示の濃縮剤は、グアニジン官能化パーライト粒子を含む。
【００２９】
用語「検出」は、微生物又は細胞検体（例えば、それにより標的微生物が存在することを判定する、少なくとも標的微生物の構成要素）の同定を意味する。
【００３０】
（繊維性多孔質マトリックス中の粒子に関しての）用語「絡めた」とは、粒子が、単に繊維性多孔質マトリックスの表面上に保持されるのではなく、繊維性多孔質マトリックス中及び繊維性多孔質マトリックス上に閉じ込められている（好ましくは、その中に分散している）ことを意味する。
【００３１】
（繊維又は繊維性材料に関しての）「フィブリル化された」とは、繊維の本幹に結合しているフィブリル又は枝を形成するように（例えば、叩くことによって）処理されることを意味する。
【００３２】
用語「繊維性多孔質マトリックス」とは、織り交ぜた（interlaid）繊維を含む不織布ウェブ又は媒体（即ち、織布又は編布ではない）、例えば、メルトブロー加工、スパンボンド加工、又は他のエアレイド技術、梳綿（carding）、湿式積層などによって絡み合わされた繊維を含むウェブを意味する。典型的には、繊維は、１００ミリメートル未満の長さを有し、捲縮していない。
【００３３】
用語「濾過」は、一般に、サイズ、電荷、及び／又は機能によって物質を分離するプロセスを記述するために使用される。例えば、濾過は、可溶物及び溶媒（例えば、希釈剤）を不溶物から分離する工程を含むことができ、あるいは、可溶物、溶媒、及び比較的小さな不溶物を、比較的大きな不溶物から分離する工程を含むことができる。様々な濾過方法が使用でき、液体組成物をフィルタに通すこと、沈殿させてから吸引又は液体をデカントにより移すこと、他の好適な濾過方法、及びこれらの組み合わせが挙げられるが、これらに限定されない。「沈殿」は、液体組成物中の不溶物を沈殿させることを指すのに用いられる。沈殿は重力又は遠心によって行うことができる。次いで、不溶物から可溶物及び溶媒を吸引する工程、可溶物及び溶媒をデカントにより移す工程、又はこれらの組み合わせによって、不溶物（又は比較的大きな不溶物）を、可溶物（又は可溶物及び比較的小さな不溶物）及び溶媒から分離することができる。
【００３４】
用語「濾液」は、一般に、液体組成物から不溶物（又は少なくとも比較的大きな不溶物）を除去後に残る液体を記述するために使用される。
【００３５】
用語「流体」は、液体、溶液、又は液体中の固体若しくは液体の分散体（dispersion）を意味する。
【００３６】
用語「積層された」とは、複数の積層された層を有する物品（例えば、第１の基材層、第１の基材層上に配置された粒子層、及び粒子層上に配置された第２の基材層を有する物品）を意味する。
【００３７】
用語「微生物」は、分析又は検出に好適な遺伝物質を有する何らかの細胞又は粒子を意味する（例えば、細菌、酵母、ウイルス、及び細菌内生胞子が挙げられる。）。
【００３８】
用語「微生物株」は、検出法により識別可能な特定のタイプの微生物（例えば、異なる属、属内の異なる種、又は種内の異なる分離株の微生物）を意味する。
【００３９】
用語「多角形」は、３つ以上の辺を有する形状を意味する。
【００４０】
「ポリマー」及び「ポリマー材料」なる用語は、互換可能に用いられ、１つ以上のモノマーを反応させることによって形成された材料を指す。
【００４１】
用語「試料」は、（例えば、分析のために）採取される物質又は材料を意味する。
【００４２】
用語「試料マトリックス」は、試料の微生物及び／又は細胞検体以外の構成要素を意味する。
【００４３】
用語「標的細胞検体」は、検出しようとする任意の細胞検体を意味する。
【００４４】
用語「標的微生物」は、検出しようとする任意の微生物を意味する。
【００４５】
（多孔質マトリックスに関しての）「貫通孔」は、多孔質マトリックスを通る通路又はチャンネル（別々の入口及び出口を有する）を含む細孔を意味する。
【００４６】
本明細書全体を通し、「一実施形態」、「特定の実施形態」、「１つ以上の実施形態」、又は「実施形態」への言及は、「実施形態」という用語の前に「例示的（代表的）」という用語が含まれているかどうかに関わらず、その実施形態と共に記載される、ある特定の特徴、構造、材料、又は特性が、本開示の特定の例示的な実施形態の少なくとも１つの実施形態に含まれることを意味する。それゆえ、本明細書全体を通して、様々な箇所での「１つ以上の実施形態では」、「いくつかの実施形態では」、「特定の実施形態では」、「一実施形態では」、「多くの実施形態では」、又は「実施形態では」などの語句の出現は、必ずしも、本開示の特定の例示的実施形態のうちの、同じ実施形態に言及するものではない。更に、ある特定の特徴、構造、材料、又は特性は、１つ以上の実施形態において、任意の好適な方法で組み合わせられてもよい。
【００４７】
ここで本開示の様々な実施形態が記述される。本開示の代表的な実施形態は、開示の趣旨及び範囲から逸脱することなく、様々な修正や変更が可能である。したがって、本開示の実施形態は以下に記述する例示的実施形態に限定されず、請求項及びそれと同等の任意のものに定められた制限によって支配されるものと理解されたい。
【００４８】
第１の態様では、グアニジン官能化パーライト粒子が提供される。グアニジン官能化パーライト粒子は、少なくとも１種類のグアニジン含有リガンドによって修飾されたパーライト粒子を含む。パーライトは、約７０〜７５％の二酸化ケイ素及び１２〜１５％の酸化アルミニウム、並びに酸化ナトリウム、酸化カリウム、酸化鉄、酸化マグネシウム、及び酸化カルシウムなどの少量のその他の金属酸化物を含有する、自然に形成される非晶質火山ガラスである。パーライトが熱によって膨張されたとき、パーライトはその最初の体積の約４〜２０倍の軽量凝集体を形成する。パーライトは、建築用途（例えば、断熱材又はテクスチャライザ）、園芸用途（例えば、通気及び保湿を与えるため、又は肥料若しくはその他活性剤用の担体として）、及び工業用途（例えば、研磨材、充填材、又は水及びその他流体試料用のフィルタとして）に使用されてきた。好適なパーライト粒子の例としては、４１０６グレード材料、４１５６グレード材料、及び４７６グレード材料が挙げられ、いずれもＤｉｃａｐｅｒｌ  Ｍｉｎｅｒａｌｓ  Ｃｏｒｐｏｒａｔｉｏｎ（Ｃｒａｗｆｏｒｄｓｖｉｌｌｅ，ＩＮ）から市販されている。
【００４９】
グアニジン含有リガンドは、パーライト粒子を、次の式１に示される構造を有するグアニジン含有シランで修飾することによって、形成される。
Ｘ３−ｎＲａｎＳｉ−Ｙ−Ｇ  式１
【００５０】
式１において、Ｓｉは、ケイ素原子であり、Ｇは、式−ＮＨ−Ｃ（＝ＮＨ）−ＮＨ２で表されるグアニジン基を示す。Ｙは、一端においてケイ素原子と共有結合し、他端においてＧ基と共有結合する２価の基である。各Ｒａ基は、存在する場合には、独立してアルキル基、アラルキル基、又はアリール基であり、ケイ素原子と結合している。各Ｘは、ケイ素原子と共有結合した脱離基であり、かつ独立してアルコキシ又はアシルオキシであり、ｎは、０、１、又は２である。
【００５１】
典型的なアルキレンは、２価の基の末端原子を含めて、最大２０個、最大１６、１２、１０、８、７、６、５、４個、又は最大３個の炭素原子、又は２個の炭素原子を有していてよい。いくつかの実施形態においては、Ｙは、３〜６個の炭素原子を有するアルキレンを含む２価の基である。好ましい一実施形態においては、Ｙは、３個の炭素原子を有する２価の基（即ち、プロピル）である。
【００５２】
式１においては、各脱離基Ｘは、独立して、１、２、３、４、５、６、７、８、９個、若しくは最大１０個の炭素原子を有するアルコキシ基である、又は、２個、若しくは３、４、５、６、７、８、９個、若しくは最大１０個の炭素原子を有するアシルオキシ基であり、アルコキシ基又はアシルオキシ基は、酸素原子を介してケイ素原子と結合している。
【００５３】
いくつかの実施形態では、ｎは０である。ｎが０のとき、Ｒａ基は存在しないため、式１は、式２に示すように、より単純化することができる（ここで、Ｓｉ、Ｇ、Ｙ、及びＸは、式１で定義した通りである。）。
Ｘ３Ｓｉ−Ｙ−Ｇ  式２
【００５４】
式１（又は式２）のシランがパーライト粒子の表面上の−ＯＨ基と反応するとき、少なくとも１個の脱離基Ｘが、ケイ素原子とパーライト粒子の表面上の酸素原子との間の共有結合により置き換えられる。式１で表される一般形態のうち、ｎ＝０（即ち、式２におけるように）の場合の、特定の例示的なグアニジン含有リガンドを含むグアニジン官能化パーライト粒子の実施形態を、式３に示す（式３の円はパーライト粒子を表す。）。
【化１】
0006767992.tif 000002
【００５５】
式３は、ｎが３であり、かつＹが３個の炭素原子を有するアルキレンである２価の基である場合の特定の実施形態を表すものであることが理解されるであろう。各式１〜３では、グアニジン基のイオン化状態は省略されているが、様々な環境により、例えば、本明細書で後に述べるように、グアニジン基が存在する液状媒体のｐＨに応じて、このようなグアニジン基は、荷電していてもよいし、荷電していなくてもよい（例えば、プロトン化していてもよいし、脱プロトン化していてもよい。）ことが理解されるであろう。
【００５６】
例えば、本明細書で後に詳細に述べるように、グアニジン含有前駆体のＳｉに結合した加水分解性基を粒子のヒドロキシル基と反応させることにより、リガンドの１個又は複数個の酸素と粒子との間に、１つ又は複数の共有結合を簡便に得ることができる。式３の例示的な構造では、このように結合した酸素原子が３つ示されている（即ち、式１においてｎ＝３）が、様々な実施形態において、このように結合した酸素原子は１つであっても、２つであっても、又は３つであってもよいことが理解されるであろう。このようにケイ素原子に結合する酸素原子が３つ未満の場合、ケイ素原子には他の置換基が存在し得る（例えば、粒子と結合しない置換基など、この置換基は式１に示されていない。）。例えば、グアニジン含有リガンドは、２つ以上のグアニジン含有リガンド前駆体間で形成されるＳｉ−Ｏ結合に起因する、Ｓｉ−Ｏ−Ｓｉ（即ち、シロキサン）基の形成を含むポリマー構造を含み得る。理論に束縛されるものではないが、添加した水、又は他の水性溶媒、又はＳｉ−Ｏ−Ｒ基の結合を加水分解できる他の薬剤などの存在下では、Ｓｉ−Ｏ−Ｓｉ基が形成され、粒子に結合するより複雑なグアニジン含有リガンド構造を生じさせることができるものと考えられ、このような構造としては、式４ａ〜４ｄ（式４ａ〜４ｄにおける各Ｒは、独立してＨ又は低級アルキル（例えば、メチル）又は他のＳｉ原子であり、Ｓｉ−Ｏ−結合を介してパーライト粒子に結合していてもよいし、結合していなくてもよく、式４ａ〜４ｄのそれぞれにおける円は、パーライト粒子を表す。）の非限定的な例に示されるような構造が考えられる。
【化２】
0006767992.tif 000003
【化３】
0006767992.tif 000004
【化４】
0006767992.tif 000005
【化５】
0006767992.tif 000006
【００５７】
式４ａ〜４ｄから、重合したグアニジン含有リガンドのネットワークにより、パーライト粒子の表面上にコーティングが形成できていることがわかる。いくつかの実施形態においては、パーライト粒子の表面上への、窒素含有グアニジン基の付与を増加させる手段として、重合したグアニジン含有リガンドにより官能化された粒子（例えば、重合したグアニジン含有リガンド内に少なくとも１つのＳｉ−Ｏ−Ｓｉ基を有した、式４ａ〜４ｄなどに示される非限定的な重合グアニジン含有リガンド構造のうちのいずれかなど）を得ることが望ましい場合がある。少なくともこれらの種類の重合では、パーライト粒子の表面上への窒素含有グアニジン基の付与により、表面窒素濃度は、例えば、Ｘ線光電子分光法により測定可能な場合に、１〜１０原子パーセントの水準に達し得る、と考えられる。
【００５８】
濃縮剤粒子は、微生物及び／又は細胞検体を含む流体試料と接触したときに、非特異的に微生物株、細胞検体、又はこれらの組み合わせを捕捉するために用いられる非水溶性微粒子材料である。濃縮剤粒子は、典型的には微小粒子を含む。
【００５９】
本開示の不織布物品に使用されるグアニジン官能化パーライト粒子は、基本的には、繊維とブレンドして本開示の不織布物品を形成しやすい、又は２つの基材の間に包まれて本開示の積層物品を形成しやすい、任意の微粒子形態（好ましくは、比較的乾燥している、又は、揮発性成分を含まない形態）で使用することができる。好ましくは、グアニジン官能化パーライト粒子は、粉末形態で使用される。有用な粉末としては、微小粒子（好ましくは、約１マイクロメートル（より好ましくは約２マイクロメートル、更により好ましくは約３マイクロメートル、最も好ましくは約４マイクロメートル）〜約１００マイクロメートル（より好ましくは約５０マイクロメートル、更により好ましくは約２５マイクロメートル、最も好ましくは約１５又は２０マイクロメートル）の範囲の粒径を有する微小粒子、ここで任意の下限は上記の範囲の任意の上限と対をなすことができる。）を含むようなものが挙げられる。
【００６０】
Ｘ線光電子分光法（「ＸＰＳ」、化学分析用電子分光法（「ＥＳＣＡ」としても知られている。））は、固体表面上に存在する元素濃度及び化学（酸化状態及び／又は官能基）濃度に関する情報を提供することが可能な技術である。ＸＰＳは、典型的には試験片表面上の最も外側の３〜１０ナノメートル（ｎｍ）の分析を提供する。ＸＰＳは、水素及びヘリウムを除き、周期表中の全ての元素に対して感度がよく、ほとんどの種について０．１〜１原子パーセントの濃度範囲の検出限界を有している。一部の場合、例えば、パーライト粒子の場合は、ＸＰＳの好ましい表面組成評価条件には、受光立体角（solid angle of acceptance）±２０度で試料表面に対して測定される取り出し角度４５度が含まれ得る。当業者であれば、本開示の粒子の分析のために好適な機器のセッティングを選択できる。本開示に係る使用に好適なグアニジン官能化パーライト粒子としては、パーライトを含み、かつ、表面組成において、ＸＰＳにより測定される表面窒素濃度が２より大きく、かつ約１２以下であるものが挙げられる。
【００６１】
本明細書に記載するグアニジン基は、置かれる具体的な環境に応じて（例えば、グアニジン官能化粒子が接触させられるようになる水性緩衝液のｐＨに応じて）、荷電していなくてもよいし、荷電していても（例えば、プロトン化）よいことが理解されるであろう。グアニジン官能化粒子のグアニジン基が荷電している環境では、荷電グアニジン基は、会合する（associated）対イオンを含み得る。いくつかの実施形態においては、このような対イオンは、グアニジン基の発生において生じ得る（即ち、本明細書で後に述べるように、合成反応において生成されるグアニジン基は、荷電している場合があり、そのグアニジン基に会合する対イオンを有する場合がある。）。他の実施形態においては、対イオンは、グアニジン基の発生においては生じない場合がある（例えば、合成反応において、グアニジン基は、遊離塩基として生成される場合がある。）が、グアニジン含有リガンド（例えば、官能化粒子）は、このグアニジン基が荷電し、対応する対イオンがそのグアニジン基と会合するようになるような環境（例えば、液状緩衝剤）へと、後に置かれてもよい。更なる他の実施形態においては、（例えば、合成時に）ある特定の対イオンが、グアニジン基と会合してもよく、その後、この対イオンが別の対イオンと交換されてもよい。それ故、グアニジン基の荷電状態、並びに対イオンの存在、対イオンのアイデンティティ、及び対イオンの荷電状態は、環境と共に変化し得、本明細書の請求項におけるグアニジン基に対する全ての言及は、請求項において、対イオンのこのような荷電状態及び／又は存在及び／又はアイデンティティについて明示的に特定されていない限りは、グアニジン基の荷電状態とは無関係であり、かつ、会合する対イオンの存在又はアイデンティティとは無関係であることが強調される。
【００６２】
更に、グアニジン基に会合する対イオンという概念は、本明細書では広い意味に用いられ、このような対イオンが、同一のグアニジン基の直近に常に位置していなくてもよい場合もあることが理解されるであろう。更に、このグアニジン基及び会合する対イオンは、必ずしも（例えば、水溶液中に）完全に溶媒和されている必要はない。即ち、これらは、部分的に、又はかなりの程度乾燥した製品（例えば、固体又は半固体製品）において、塩として提示されてもよく、この製品は、所望に応じ液体（例えば、水性緩衝液）中に置かれていてもよいし、溶媒和されていてもよい。特定の実施形態においては、会合する対イオンは、硫酸イオン及び／又は重硫酸イオンである。他の特定の実施形態においては、この会合する対イオンは、水酸化物イオンである（例えば、遊離塩基形態にあるグアニジン基を非緩衝水溶液（unbuffered aqueous solution）中に置くことによるものであってもよい。）。
【００６３】
いくつかの実施形態においては、グアニジン官能化粒子は、Ｏ−アルキルイソ尿素、又はその塩（例えば、容易に入手可能な出発物質である、Ｏ−メチルイソ尿素ヘミ硫酸塩、ＣＡＳ登録番号５２３２８−０５−９）を用いた容易かつ簡便な方法により作製することができる。この方法の第１の工程において、Ｏ−アルキルイソ尿素を式５に示される一般構造を有するリンカー分子と反応させてよい。
Ｘ３−ｎＲａｎＳｉ−Ｙ−ＮＨ２  式５
【００６４】
式５において、Ｓｉは、ケイ素原子であり、ＮＨ２は、１級アミノ基を示す。Ｙは、一端においてケイ素原子と共有結合し、他端において第１級アミノ基と共有結合する２価の基である。各Ｒａ基は、存在する場合には、独立してアルキル基、アラルキル基、又はアリール基であり、ケイ素原子と結合している（ｎが０のとき、Ｒａ基が存在しなくなることに留意されたい）。各Ｘは、ケイ素原子と共有結合した脱離基であり、かつ独立してアルコキシ又はアシルオキシであり、ｎは、０、１、又は２である。
【００６５】
いくつかの実施形態においては、Ｙは２価のアルキレン基である。典型的なアルキレンは、最大２０個、最大１６、１２、１０、８、７、６、５、４個、又は最大３個の炭素原子、又は２個の炭素原子であってよい。いくつかの実施形態においては、Ｙは、３〜６個の炭素原子を有するアルキレンを含む２価の基である。好ましい実施形態においては、例えば、式６の好ましいリンカー化合物に示されるように、Ｙは、３個の炭素原子を有する２価の基（即ち、プロピル）である。
【化６】
0006767992.tif 000007
【００６６】
いくつかの実施形態においては、グアニジン官能化パーライト粒子を作製する方法の第１の工程は、反応スキーム１のようになり、式５の化合物を、Ｏ−アルキルイソ尿素（Ｒ’は、メチル、又は２〜１０個程度の炭素原子を含む他の低級アルキルであってよい。）と反応させる。この反応は、好適な溶媒（例えば、メタノール又はエタノール）中で行うことができる。
【００６７】
反応スキームＩ
【化７】
0006767992.tif 000008
反応スキームＩのより具体的な実施形態においては、反応スキームＩＩに示されるように、式６の化合物を、Ｏ−メチルイソ尿素塩と反応させる。
【００６８】
反応スキームＩＩ
【化８】
0006767992.tif 000009
反応スキームＩＩにおいて、Ｏ−メチルイソ尿素は、ヘミ硫酸塩として提供され、（メタノール中の）３−アミノプロピルトリメトキシシランと反応して、グアニジン基を形成する（グアニジン基及び会合する対イオンであるヘミサルフェートの荷電状態は、反応スキームＩＩに示されていない点に留意されたい。）。
【００６９】
式６及び反応スキームＩＩは、代表的な例であって、本明細書に記される範囲全体に含まれる、任意の好適なリンカー分子を（そのリンカー分子がＯ−メチルイソ尿素と反応してグアニジン基を形成できる、例えば、第１級アミンなどを含んでいる限りにおいて、）使用できることが理解されるであろう。例えば、リンカー分子は、ケイ素原子上に、任意の好適な反応性基（例えば、エトキシ、メトキシ、アセトキシ）を任意の所望の数にて含んでいてよい（複数の反応性基が存在する場合は、それらの反応性基は同一である必要はないことに留意されたい。また、使用するこのような反応性基が３個未満である場合は、例えば、式４の一般表現に示されるように、他の（例えば、Ｒａ）基が存在してもよいことに留意されたい。更に、複数のＲａ基が存在する場合は、それらの基は同一である必要はないことにも留意されたい。）。ある具体例においては、式６の３−アミノプロピルトリメトキシシランではなく、３−アミノプロピルトリエトキシシランをリンカー分子として使用し、反応スキームＩＩに含ませてよい。
【００７０】
特定の実施形態においては、Ｙは、アルキレンを含む２価の基であり、この２価の基は、アリーレン、オキシ、−ＮＨ−、又はこれらの組み合わせなどの他の基を任意選択で更に含んでいてもよい。一部の特定の実施形態においては、リンカー分子の２価のＹ基は、２級アミンを含んでいてもよい。この種の具体例においては、リンカー分子は、例えば、Ｎ−（２−アミノエチル）−３−アミノプロピルトリメトキシシラン（Ｇｅｌｅｓｔ，Ｉｎｃ．（Ｔｕｌｌｙｔｏｗｎ，ＰＡ）から商品名「ＳＩＡ０５９１．０」として入手可能）であってよい。使用できる可能性がある他のリンカー分子としては、例えば、（アミノエチルアミノメチル）フェネチルトリメトキシシラン（「ＳＩＡ０５８８．０」，Ｇｅｌｅｓｔ）、Ｎ−（２−アミノエチル）−３−アミノプロピルメチルジメトキシシラン（「ＳＩＡ０５８９．０」，Ｇｅｌｅｓｔ）、Ｎ−（６−アミノヘキシル）アミノプロピルトリメトキシシラン（「ＳＩＡ０５９４．０」，Ｇｅｌｅｓｔ）、Ｎ−（２−アミノエチル）−１１−アミノウンデシル−トリメトキシシラン（「ＳＩＡ０５９５．０」，Ｇｅｌｅｓｔ）、Ｎ−３［（アミノ（ポリプロピレンオキシ）］アミノプロピルトリメトキシシラン（「ＳＩＡ０５９９．４」，Ｇｅｌｅｓｔ）、３−アミノプロピルメチルジエトキシシラン（「ＳＩＡ０６０５．０」，Ｇｅｌｅｓｔ）、３−アミノプロピルトリエトキシシラン（「ＳＩＡ０６１０．０」，Ｇｅｌｅｓｔ）、及び（３−トリメトキシシリルプロピル）ジエチレン−トリアミン（「ＳＩＴ８３９８．０」，Ｇｅｌｅｓｔ）を挙げることができる。所望により、本明細書で言及したリンカー分子のうちの任意のものの混合物を使用してもよい。
【００７１】
この方法の第２の工程において、（シランカップリング剤という用語で周知の、１個又は２個以上のこのような反応性アルコキシ基又はアシルオキシ基を含むＳｉ原子を有する。）リンカー分子のＳｉに結合したＸ基のうちの少なくとも１つを、好適な粒子のヒドロキシル基と反応させて、リンカー分子と粒子との間に共有結合を形成する（「第１の」工程及び「第２の」工程という用語は、単に説明を簡便にするために使用されており、これらの工程を任意の所望の順番で行ってよいことが強調される。）。例えば、反応スキームＩＩにおけるリンカー分子の、３個のトリメトキシ反応性基のいずれ、又は、その全てを、粒子表面のヒドロキシル基と反応させることができる。いくつかの実施形態においては、上述したように、この方法の第２の工程において水を添加することにより、ＸＰＳによって測定したとき、高い表面の窒素値がもたらされることが観察されている（実施例を参照）。添加する水の量は、リンカー分子の量に対して、水０〜５当量（「ｅｑ」）（「当量」とは、ここでは「モル当量」を指し、リンカー分子１モル当たり水１モルとして定義される。）であってよく、例えば、リンカー分子の量に対して、水は最大１当量、又は最大２当量、最大１当量、最大０．５当量、最大０．２５当量、又は０当量〜５当量の間の任意の値であってよい。
【００７２】
一実施形態においては、これら２つの工程の最終的な結果物は、式７の例示的な実施形態にまとめられる（式７の円はパーライト粒子を表す。）。
【化９】
0006767992.tif 000010
【００７３】
式７の具体的な例示表現では、結果として生成されるグアニジン基が正に荷電（例えば、プロトン化）した状態にあり、そのグアニジン基に会合する対イオンであるヘミサルフェートは負に荷電していることが示されている。上述の方法では、このような状態でグアニジン官能化粒子を生成し得るものの、上述したように、グアニジン基の荷電状態、対イオンの存在、対イオンのアイデンティティ及び／又は対イオンの荷電状態などは、その後にグアニジン官能化粒子が置かれる環境に影響されることが理解されるであろう。
【００７４】
上述の一般的な作製方法、及びその中で使用される物質は、具体的な目的に応じて所望により調整されてよい。それ故、いくつかの実施形態においては、粒子上に結果として形成される各グアニジン含有リガンドは、（例えば、所与のグアニジン含有リガンド上に２、３個、又はそれ以上のグアニジン基が存在するのではなく）グアニジン基を１つだけ有していてもよい。いくつかの実施形態においては、結果として形成されるグアニジン含有リガンドは、粒子上にある唯一のリガンドであってもよい（粒子上に、例えば、シラン−結合リガンドなどの更なるリガンド（この更なるリガンドには、グアニジン基は含まれない。）が存在しない）。いくつかの実施形態においては、粒子のヒドロキシルの一部にリンカー分子が結合し、粒子上にリガンドを形成した後にも、相当量（例えば、表面分析により容易に検出可能な量）の残存のヒドロキシルが、（例えば、残存のヒドロキシルがエンドキャップされるのではなく）粒子の表面上に存在する。いくつかの実施形態においては、本明細書で開示する方法は、リンカー分子を粒子の表面のヒドロキシル基と反応させる前に、定めた相対湿度（例えば、４０％未満）を有する大気中で粒子を平衡化する工程を含まない。
【００７５】
反応スキームＩＩに概説された方法では、Ｏ−メチルイソ尿素を使用したが、式１の一般構造を有するグアニジン官能化リンカーを作製するために他の出発物質を使用してもよいことが理解されるであろう。このような出発物質としては、例えば、Ｏ−メチルイソ尿素硫酸塩、Ｏ−メチルイソ尿素硫酸水素塩、Ｏ−メチルイソ尿素酢酸塩、Ｏ−エチルイソ尿素硫酸水素塩、及びＯ−エチルイソ尿素塩酸塩などのＯ−アルキルイソ尿素塩を挙げることができる。これらの物質以外に、式１の一般構造を有するグアニジン官能化リンカーを作製するために使用してもよい他の出発物質としては、シアナミド、クロロホルムアミジン塩酸塩、１−アミジノ−１，２，４−トリアゾール塩酸塩、３，５−ジメチルピラゾール−１−カルボキサミジン硝酸塩、ピラゾール−１−カルボキサミジン塩酸塩、Ｎ−アミジノピラゾール−１−カルボキサミジン塩酸塩などを挙げることができる。これらの出発物質の一部は、グアニジン基が特定の荷電状態にあり（例えば、遊離塩基である、又は、正に荷電している。）、かつ／又はそのグアニジン基に会合する特定の対イオンを有する、グアニジン含有リンカーを生成し得ることが理解されるであろう。このようなグアニジン基は、本明細書の開示に基づき、特定の荷電状態に置かれていてもよいこと、他の一部の対イオンに置き換わりそのグアニジン基に会合した対イオンを有していてもよいこと、などが理解されるであろう。
【００７６】
第２の態様では、不織布物品が提供される。不織布物品は、繊維性多孔質マトリックスと、繊維性多孔質マトリックス内に捕らえられた（enmeshed）複数のグアニジン官能化パーライト粒子と、を含む。不織繊維性多孔質マトリックスは、多くの場合、紡織又は編み合わせではなく、織り交ぜた繊維の層の形態である。不織繊維性多孔質マトリックスは、例えば、エアレイド技術、メルトブロー加工又はスパンボンド加工などのスパンレイド技術、梳綿、湿式積層、及びこれらの組み合わせなどの任意の好適なプロセスにより、調製することが可能である。多くの実施形態では、繊維性不織布マトリックスは、湿式積層技術により調製される。
【００７７】
不織繊維性多孔質マトリックスの調製に用いるのに好適な繊維は、パルプ化可能な（pulpable）又は押出成形可能な繊維、例えば、放射線及び／又は種々の溶媒に対して安定した繊維である。所望により、ポリマー繊維のうちの少なくとも一部は、ある程度の親水性を呈するように選択され得る。有用な繊維としては、ポリマー繊維、無機繊維、及びこれらの組み合わせが挙げられる。更に詳細には、繊維は、ポリオレフィン繊維及び繊維ガラス繊維などの複数の異なる種類の繊維を含む。
【００７８】
好適なポリマー繊維としては、熱可塑性及び溶媒分散性ポリマーなどの、天然ポリマー類（動物若しくは植物源由来のもの）及び／又は合成ポリマー類から作製されたものが挙げられる。有用なポリマーとしては、ポリオレフィン（例えば、ポリ（エチレン）（例えば、低密度ポリエチレン、中密度ポリエチレン、高密度ポリエチレンなど）、ポリプロピレン、ポリ（１−ブテン）、エチレンとプロピレンとのコポリマー、αオレフィンコポリマー（例えば、エチレン又はプロピレンと１−ブテン、１−ヘキセン、１−オクテン、と１−デセンとのコポリマー）、例えば、ポリ（エチレン−ｃｏ−１−ブテン）及びポリ（エチレン−ｃｏ−１−ブテン−ｃｏ−１−ヘキセン）など）；ポリ乳酸；ポリ（イソプレン）；ポリ（ブタジエン）；ポリアミド類（例えば、ナイロン６、ナイロン６，６、ナイロン６，１２、ポリ（イミノアジポイルイミノヘキサメチレン）、ポリ（イミノアジポイルイミノデカメチレン）、ポリカプロラクタムなど）；ポリイミド（例えば、ポリ（ピロメリットイミド）など）；ポリエーテル；ポリ（エーテルスルホン）（例えば、ポリ（ジフェニルエーテルスルホン）、ポリ（ジフェニルスルホン−ｃｏ−ジフェニレンオキシドスルホン）など）；ポリ（スルホン）；ポリ（ビニルエステル）（例えば、ポリ（酢酸ビニル））；酢酸ビニルのコポリマー（例えば、ポリ（エチレン−ｃｏ−酢酸ビニル）、及びアセテート基の少なくとも一部が加水分解されていることでポリ（エチレン−ｃｏ−ビニルアルコール）などの種々のポリ（ビニルアルコール）を与えるコポリマーなど）；ポリ（ホスファゼン）；ポリ（ビニルエーテル）；ポリ（ビニルアルコール）；ポリアラミド（例えば、ポリ（パラフェニレンテレルタルアミド）などのｐａｒａ−アラミド、及びＤｕＰｏｎｔ  Ｃｏ．（Ｗｉｌｍｉｎｇｔｏｎ，ＤＥ）より「ＫＥＶＬＡＲ」の商品名で販売される繊維（そのパルプは、パルプを構成する繊維の長さに基づいて「ＫＥＶＬＡＲ  １Ｆ３０６」及び「ＫＥＶＬＡＲ  １Ｆ６９４」などの様々な等級で市販されており、これらはいずれも少なくとも４ｍｍの長さのアラミド繊維を含んでいる。）など）；羊毛；絹；セルロース系ポリマー類（例えば、セルロース及びレーヨンのようなセルロース誘導体など）；アクリル系ポリマー（例えば、ポリアクリロニトリル）；ポリエステル（例えば、ポリエチレンテレフタレート）；フッ素化ポリマー（例えば、ポリ（フッ化ビニル）、ポリ（フッ化ビニリデン）、フッ化ビニリデンのコポリマー（例えば、ポリ（フッ化ビニリデン−ｃｏ−ヘキサフルオロプロピレン）など）、クロロトリフルオロエチレンのコポリマー（例えば、ポリ（エチレン−ｃｏ−クロロトリフルオロエチレン）など）；塩素化ポリマー；ポリ（カーボネート）；及びこれらに類するもの；並びにこれらの組み合わせが挙げられる。特定の実施形態では、ポリマー繊維はポリオレフィン、ポリスルホン、ポリアミド、又はこれらの組み合わせを含む。
【００７９】
好適な無機繊維としては、ガラス、セラミックス、及びこれらの組み合わせから選択される少なくとも１種類の無機材料を含むものが挙げられる。これらの繊維を加えることにより、多くの場合、繊維性多孔質マトリックスを強化することが可能である。例えば、無機繊維を含有する多孔質マトリックス層は、多くの場合、壊れることなく、屈曲、折り畳み、又はプリーツ状にすることが可能である。有用な無機繊維としては、例えば、繊維ガラス（例えば、Ｅガラス及びＳガラスなど）、セラミック繊維（例えば、金属酸化物（アルミナなど）、炭化ケイ素、窒化ホウ素、炭化ホウ素などで製造された繊維）、及びこれらの組み合わせが挙げられる。有用なセラミック繊維は、少なくとも部分的に結晶性であり得る（認識可能なＸ線粉末回折図形を示す、又は結晶質相及び非晶質（ガラス）相の両方を含有する。）。いくつかの用途では、無機繊維は繊維ガラスを含む。
【００８０】
グアニジン官能化パーライト粒子の捕捉を促進する目的で、及び／又は大きい表面積を確保する目的で、不織布の形成に用いる繊維の繊維性多孔質マトリックスは、多くの場合、（例えば、主繊維が多くのより小さな結合フィブリルで取り囲まれた形態の）少なくとも１つのフィブリル化繊維を含有する。主繊維は、一般に、０．５ミリメートル〜５ミリメートルの範囲内の長さ、及び１マイクロメートル〜２０マイクロメートルの範囲内の直径を有し得る。フィブリルは、典型的には、μｍ未満の直径を有し得る。多くの実施形態において、フィブリル化繊維は、ポリ（エチレン）若しくはポリプロピレンのようなポリオレフィンから、又はポリアクリロニトリルのようなアクリル系ポリマーから調製される。
【００８１】
好適なポリマー繊維としては更に、２成分繊維が挙げられ、これは典型的には、２成分繊維の材料の一方の融点の差により、マトリックス繊維全てを結合する助けとなる。２成分繊維は、例えば、コア−シース構造、並列構造、海島型構造、又は分割パイ構造などを有することができる。並列２成分繊維の例には、ポリオレフィン、熱結合された２成分繊維、Ｃｈｉｓｓｏ  Ｃｏｒｐｏｒａｔｉｏｎ（Ｏｓａｋａ，Ｊａｐａｎ）からＣＨＩＳＳＯ（例えば、ＣＨＩＳＳＯ  ＥＳ）という商品名で市販されているものがある。コア−シース２成分繊維の例には、Ｕｎｉｔｉｋａ  Ｌｔｄ．（Ｏｓａｋａ，Ｊａｐａｎ）からＭＥＬＴＹ（例えば、ＭＥＬＴＹ  ４０８０）という商品名で市販されているもの、及びＭｉｎｉｆｉｂｅｒｓ，Ｉｎｃ．（Ｊｏｈｎｓｏｎ  Ｃｉｔｙ，ＴＮ）から市販されている、エチルビニルアセテート（シース）及びポリプロピレン（コア）製又はポリエステル及びポリエチレンテレフタレート（ＰＥＴ）（シース）並びにポリエステル（コア）のコポリエステル製のもの、がある。
【００８２】
不織繊維性多孔質マトリックスは、複数の異なる種類の繊維を含有する。いくつかの実施形態において、多孔質マトリックスは、３、４種類、又は更にはより多くの異なる種類の繊維を使用して形成され得る。例えば、強度及び一体性をもたせるために繊維ガラス繊維を加えることができる一方、粒子を閉じ込めるためにフィブリル化ポリ（エチレン）を加えることができる。加えて、ナイロン繊維が親水性特性をもたらすのに対して、フィブリル化ポリ（エチレン）は多孔質マトリックスに疎水性特性をもたらす。フィブリル化繊維及び非フィブリル化繊維を組み合わせて使用した場合、フィブリル化繊維と非フィブリル化繊維との重量比は、多くの場合、少なくとも１：２、少なくとも１：１、少なくとも２：１、少なくとも３：１、少なくとも５：１、又は更には少なくとも８：１である。いくつかの実施形態では、疎水性及び親水性ポリマー繊維の混合物が使用される。例えば、繊維性多孔質マトリックスは、ポリオレフィンのような疎水性繊維と、ポリスルホンのような親水性繊維との混合物を含み得る。いくつかの具体的な例では、ポリマー繊維としては、ポリオレフィン繊維、２成分繊維、及び繊維ガラス繊維が挙げられる。
【００８３】
特定の実施形態では、繊維性多孔質マトリックスはポリアミド繊維を含まない。繊維性多孔質マトリックス中にナイロン繊維を含むと、生物発光ＡＴＰ検出法ではナイロン繊維を含まない繊維性多孔質マトリックスよりも低い発光量をもたらす可能性があることが分かっている。
【００８４】
好ましくは、不織繊維性多孔質マトリックスの形成に用いられる繊維は、捲縮していない。捲縮していない繊維と対照的に、捲縮繊維は、特徴（例えば、波状、ぎざぎざした、正弦波形状等の繊維の外観が顕在化する）の反復を呈する、螺旋形の外観（例えば、特に２成分繊維の熱活性化によって得られる捲縮繊維の場合）を有する等で識別することができ、当業者には容易に認識できる。例示的な捲縮繊維は、米国特許第４，１１８，５３１号（Ｈａｕｓｅｒ）、同第５，５９７，６４５号（Ｐｉｋｅ  ｅｔ  ａｌ．）、及びカナダ特許第２６１２８５４号（Ｓｏｍｍｅｒ  ｅｔ  ａｌ．）に説明される。
【００８５】
不織繊維性多孔質マトリックスの形成に用いられる繊維は、特定用途（例えば、流体試料をマトリックスに通過させる。）にとって十分な構造的一体性及び十分な多孔性を有する多孔質マトリックスを提供できる長さ及び直径のものであり得る。繊維の長さは、多くの場合、少なくとも約０．５ミリメートル、少なくとも１ミリメートル、少なくとも２ミリメートル、少なくとも３ミリメートル、少なくとも４ミリメートル、少なくとも６ミリメートル、少なくとも８ミリメートル、少なくとも１０ミリメートル、少なくとも１５ミリメートル、又は少なくとも２０ミリメートル、かつ最長５０ミリメートル、最長４０ミリメートル、最長３０ミリメートル、又は最長２５ミリメートルである。繊維の直径は、例えば、少なくとも１０マイクロメートル、少なくとも２０マイクロメートル、又は少なくとも３０マイクロメートルであり得る。繊維の長さ及び直径は、繊維の性質及び用途のタイプなどの要因に応じて様々となる。
【００８６】
不織繊維性多孔質マトリックスは、多くの場合、ポリオレフィン繊維、ガラス繊維、及び２成分繊維の混合物を含む。いくつかの特定の実施形態において、不織繊維性多孔質マトリックスは、フィブリル化ポリエチレン繊維、ガラス繊維、及びシース−コアの２成分繊維の混合物を含有する。いくつかの実施例では、不織繊維性多孔質マトリックスは、４０〜８０重量％のフィブリル化ポリエチレン繊維、５〜２０重量％のガラス繊維、及び５〜２０重量％の２成分繊維を含有する。いくつかの実施例では、不織繊維性多孔質マトリックスは、４０〜８０重量％のフィブリル化ポリエチレン繊維、１０〜３０重量％のナイロン繊維、５〜２０重量％のガラス繊維、及び５〜２０重量％の２成分繊維を含有する。他の実施例では、不織繊維性多孔質マトリックスは、５０〜７０重量％のフィブリル化ポリエチレン繊維、５〜１５重量％のガラス繊維、及び５〜２０重量％の２成分繊維を含有する。更に他の実施例では、繊維性多孔質マトリックスは、５５〜６５重量％のフィブリル化ポリエチレン繊維、０〜２０重量％のナイロン繊維、５〜１５重量％のガラス繊維、及び１０〜２０重量％の２成分繊維を含有する。
【００８７】
上述のように、繊維性多孔質マトリックスは無機繊維及びポリマー繊維から本質的になる。したがって、ほとんどの実施形態では、繊維性多孔質マトリックスは繊維のみを含有する。例えば、乾燥繊維性多孔質マトリックスの少なくとも９０重量％、少なくとも９５重量％、少なくとも９８重量％、少なくとも９９重量％、又は少なくとも９９．５重量％は、繊維である。特定の実施形態では、不織布物品は、少なくとも０．１ミリメートル、又は少なくとも０．１５ミリメートル、又は少なくとも０．２ミリメートル、又は少なくとも０．３ミリメートル、又は少なくとも０．４ミリメートル、又は少なくとも０．５ミリメートル、又は少なくとも０．６ミリメートルの厚さを有する。不織布物品は通常、最大１ミリメートル、又は最大０．９ミリメートル、又は最大０．８ミリメートル、又は最大０．７ミリメートル、又は最大０．５５ミリメートルの厚さを有する。言い方を変えれば、不織布物品は、０．１５ミリメートル〜１ミリメートル、又は０．１５ミリメートル〜０．８ミリメートル、又は０．１ミリメートル〜０．７ミリメートルの厚さを有することができる。特定の実施形態では、厚さの範囲が下限近くの厚さを有する不織布物品は、不織布物品内への試薬の拡散に必要な時間を低減する、又は生成される検出シグナルの遮断を低減するなど、微生物及び／又は細胞検体の検出への干渉を最小限にするように選択される。
【００８８】
典型的には、不織布物品は、繊維性多孔質マトリックスと繊維性多孔質マトリックス内に分散されたグアニジン官能化パーライト粒子の両方を含む。ほとんどの実施形態において、不織布物品は、不織布物品の総乾燥重量に基づいて少なくとも１０重量％のグアニジン官能化パーライト粒子を含有する。グアニジン官能化パーライト粒子の量が約１０重量％未満の場合、不織布物品が流体試料から微生物又は細胞検体を効率的に捕捉するのに十分なグアニジン官能化パーライト粒子を含有していない可能性がある。いくつかの実施例では、不織布物品は、不織布物品の総乾燥重量に基づいて少なくとも１５重量％、少なくとも２０重量％、少なくとも２５重量％、又は少なくとも３０重量％のグアニジン官能化パーライト粒子を含有する。
【００８９】
他方、不織布物品は、通常、不織布物品の総乾燥重量に基づいて５５重量％以下のグアニジン官能化パーライト粒子を含有する。グアニジン官能化パーライト粒子の量が約５５重量％を超える場合、不織布物品が十分な量の繊維性多孔質マトリックスを含有する可能性がある。即ち、不織布物品の強度は、微生物株及び／又は標的細胞検体を捕捉するのに用いられたとき結合させるのに不十分な可能性がある。いくつかの実施例において、不織布物品は、不織布物品の総重量に基づいて５０重量％以下、４５重量％以下、又は４０重量％以下のグアニジン官能化パーライト粒子を含有する。
【００９０】
言い方を変えれば、不織布物品は、多くの場合、１０〜５５重量％のグアニジン官能化パーライト粒子及び４５〜９０重量％の繊維性多孔質マトリックス、１５〜５０重量％のグアニジン官能化パーライト粒子及び５０〜８５重量％の繊維性多孔質マトリックス、２０〜５０重量％のグアニジン官能化パーライト粒子及び５０〜８０重量％の繊維性多孔質マトリックス、２０〜４５重量％のグアニジン官能化パーライト粒子及び５５〜８０重量％の繊維性多孔質マトリックス、２５〜４０重量％のグアニジン官能化パーライト粒子及び６０〜７５重量％の繊維性多孔質マトリックス、又は３０〜４０重量％のグアニジン官能化パーライト粒子及び６０〜７０重量％の繊維性多孔質マトリックスを含有する。この量は、不織布物品の総乾燥重量に基づいている。
【００９１】
多くの実施形態において、不織布物品（乾燥時）は、グアニジン官能化パーライト粒子及び繊維性多孔質マトリックスのみを含有する。例えば、不織布物品は、乾燥時、少なくとも９０重量％、少なくとも９５重量％、少なくとも９８重量％、少なくとも９９重量％、又は少なくとも９９．５重量％の結合したグアニジン官能化パーライト粒子、及び繊維性多孔質マトリックスを含有する。
【００９２】
１つの特定の方法では、不織布物品は、湿式積層又は「湿式積層」プロセスを使用して調製される。このプロセスにおいて、（ａ）複数の繊維、（ｂ）複数のグアニジン官能化パーライト粒子、（ｃ）ポリマーバインダー繊維、及び（ｄ）水、水混和性の有機溶剤、又はこれらの混合物などの分散液を含有する分散体を形成する。繊維及びグアニジン官能化パーライト粒子は、分散液中に一緒に分散され得る。いくつかの実施形態において、繊維（例えば、疎水性繊維）は、添加剤、表面処理剤、又は化学基を有し、分散液中での繊維の分散を容易にする。例えば、ポリオレフィン系繊維は、無水マレイン酸官能性若しくは無水コハク酸官能性を含むことができ、又はポリエチレン系繊維を調製するための溶解処理中に、好適な界面活性剤を添加することができる。
【００９３】
加えて、湿式積層プロセスは脱水、次いで脱水を終え、及び任意で繊維の一部を結合するための加熱が含まれる。
【００９４】
１種類以上の補助剤又は添加剤がこの種の不織布物品を調製する際に使用され得る。有用な補助剤としては、加工助剤、界面活性剤、溶剤、凝集補助剤、歩留まり向上剤、又は得られる不織布物品の全体的な性能を向上できるその他の材料が挙げられる。そのような補助剤の量は、使用するとき、例えば、不織布物品（例えば、繊維及びグアニジン官能化パーライト粒子）の総乾燥重量に基づいて、最大５重量％、最大４重量％、最大３重量％、最大１重量％、又は最大０．５重量％の量で存在しうる。不織布物品中に含まれ得るグアニジン官能化パーライト粒子の量を最大限にするように、補助剤の総量は、典型的には、可能な限り少量になるように選択される。
【００９５】
もう１つの特定の湿式積層プロセスでは、分散液（例えば、水、水混和性の有機溶剤、例えば、アルコール、又はこれらの混合物）の存在下で繊維（例えば、短繊維）が容器内でブレンドされて、スラリーを形成することができる。スラリーが形成された後、グアニジン官能化パーライト粒子及び任意の沈降剤（例えば、ミョウバンのようなｐＨ調整剤）がスラリーに添加され得る。
【００９６】
当該技術分野において既知のハンドシート法（hand−sheet method）を用いて湿式積層プロセスが実行されるときに、成分（即ち、繊維及びグアニジン官能化パーライト粒子）を分散体に添加する順序が不織布物品の最終的な性能に重大な影響を及ぼすことは見出されなかった。形成後、分散混合体は、型に注がれてもよく、この型の底部はスクリーンで被覆されてもよい。分散液は、（濡れたシートの形態の）混合物からスクリーンを通して排水させることができる。十分な量の液体を排出させた後は、通常、この濡れたシートを型から取り外して、加圧、加熱、又はこの２つの組み合わせにより乾燥させることができる。一般的に、圧力は、約３００〜約６００ｋＰａの範囲内である。濡れたシートの乾燥に用いられる温度は、９０℃〜２００℃の範囲内、１００℃〜１７５℃の範囲内、１００℃〜１５０℃の範囲内、又は９０℃〜１２０℃の範囲内であり得る。乾燥によって、多くの場合、全ての又は大部分の分散液（例えば、分散液を形成するために加えられた分散液の量に基づいて最大８５重量％、最大９０重量％、最大９５重量％、最大９８重量％、又は最大９９重量％の分散液）が除去される。
【００９７】
結果として得られる不織布物品は、少なくとも０．１ミリメートル、少なくとも０．２ミリメートル、少なくとも０．５ミリメートル、少なくとも０．８ミリメートル、少なくとも１ミリメートル、少なくとも２ミリメートル、少なくとも４ミリメートル、又は少なくとも５ミリメートルの平均厚さを有する乾燥シートである。平均厚さは、多くの場合、最大２０ミリメートル、最大１５ミリメートル、最大１２ミリメートル、又は最大１０ミリメートルである。所望される場合、カレンダ加工を用いることにより、乾燥シートの加圧又は溶着を更に行うことが可能である。（シート材料の形態の）不織布物品の秤量は、約１００〜約３５０ｇ／ｍ２の範囲内、好ましくは、約２００〜約３００ｇ／ｍ２の範囲内、例えば、約２５０ｇ／ｍ２であり得る。
【００９８】
不織布物品において、グアニジン官能化パーライト粒子は、利用される繊維の性質に応じて、化学的相互作用（例えば、化学結合）又は物理的相互作用（例えば、吸着若しくは機械的捕捉）のいずれかにより、繊維性多孔質マトリックス内に捕捉することができる。グアニジン官能化パーライト粒子は、多くの場合、不織布物品内の繊維性多孔質マトリックス全体に本質的に均一に分散されることが好ましい。
【００９９】
一般に、乾燥不織布物品の平均細孔径は、走査電子顕微鏡（ＳＥＭ）で測定したとき、０．１〜１０マイクロメートルの範囲であり得る。２０〜８０体積％の範囲内又は４０〜６０体積％の空隙体積が有用であり得る。乾燥不織布物品の多孔性を、繊維混合物中により大きい直径又は剛性を有する繊維を使用することによって変更する（増加させる）ことができる。
【０１００】
第３の態様では、積層物品が提供される。積層物品は、第１の基材と、第１の基材の外周の少なくとも一部に沿って第１の基材に封止された第２の基材と、を含む。積層物品は、第１の基材と第２の基材との間に配置された複数のグアニジン官能化パーライト粒子を更に含む。
【０１０１】
本開示の積層物品に適した基材としては、スパンボンドポリプロピレン、ポリアミドとポリエステルとのスパンボンドブレンド、スパンボンドポリアミド、スパンボンドポリエチレン、スパンボンドポリエステル、スパンボンドポリブチレンテレフタレート（ＰＢＴ）、スパンボンドポリプロピレン、メルトブロウンウェブ、ステープルウェブ、及び最も好ましくはスパンボンドポリプロピレン又はポリアミドとポリエステルとのスパンボンドブレンドが挙げられる。好ましくは、第１の基材及び第２の基材のそれぞれは、積層物品に通過させられた流体試料の濁度が、積層物品に通過させられる前の流体試料の濁度と比較して、検出可能な程度に増大しない、又は、後述する濁度試験に合格するように、繊維がほとんど又はまったく脱落しない材料から選択される。第１の基材及び第２の基材は適当な材料から独立して選択されるが、しばしば同じ材料を含む。「第１」及び「第２」の基材という用語は、あくまで説明の便宜上使用されるものであり、特定の実施形態では、第１の基材及び第２の基材は１個の連続した基材の部分であり、他の実施形態では、第１の基材及び第２の基材は個別の別々の基材であることが重視される。１個の連続した基材の部分である第１の基材及び第２の基材の１つの例として、例えば、基材が半分に折り畳まれ、一方の半分が第１の基材を与え、他方の半分が第２の基材を与えるような基材がある。
【０１０２】
積層物品の厚さを通過する液体（例えば、流体試料）の流れを可能とするため、第１の基材及び第２の基材のそれぞれは流体透過性である。多くの用途において、水を含む流体（例えば、水溶液又は分散体）が積層物品に通過させられることから、任意で、第１の基材及び第２の基材の少なくとも一方が、一方又は両方の基材の濡れ性及び一方又は両方の基材を通じた液体の浸透性を向上させるために親水化された基材からなる。親水化処理は当業者には周知のものであり、例えば、プラズマ処理を用いて行うことができる（例えば、米国特許第４，７７２，４８８号を参照）。
【０１０３】
典型的に多孔度と関連するスパンボンド材料の特性としては、材料の単位面積の坪量、及びスパンボンド材料が構成される個々の繊維の直径が挙げられる。本開示に基づく積層物品に適した基材としては、少なくとも約１０、２５、４０、５５、６０、又は更には６５ｇｓｍ〜約７５、８０、９０、１００、１４０、１８０、又は更には２００ｇｓｍ以下の１平方メートル当りのグラム数で表される坪量（ｇｓｍ）を有する１以上のスパンボンド材料が挙げられる。例えば、特定の態様では、第１の基材及び第２の基材は、１０〜２００ｇｓｍ、好ましくは５５〜１００ｇｓｍ、及び最も好ましくは６０〜１００ｇｓｍ（端点を含む。）のｇｓｍを有するスパンボンド材料を独立して含む。特定の態様では、第１の基材及び第２の基材は、少なくとも約１０マイクロメートル（μｍ）、１１、１２、１３、１４、又は更には１５μｍ〜約１７、１８、１９、２０、２２、２４、２６、２８、又は更には３０μｍ以下の繊維直径を有するスパンボンド材料を独立して含む。例えば、特定の態様では、第１の基材及び第２の基材は、１０〜３０μｍ、及び好ましくは１０〜１８μｍ、１２〜２０μｍ、又は１４〜２２μｍ（端点を含む。）の繊維直径を有するスパンボンド材料を独立して含む。
【０１０４】
本開示の積層物品は、第１の基材を第２の基材に固定するためのシールを有している。詳細には、第２の基材は、基材の外周の少なくとも一部に沿って第１の基材に封止される。本明細書で使用するところの「外周」なる用語は、基材の境界又は外側境界線であって、境界又は外側境界線の最も遠い縁部から基材の中心に内側に向かう距離の約１０％内の領域の全体を含む境界又は外側境界線を意味する。例えば、基材が１０センチメートル（ｃｍ）の半径を有する円形を有する場合、外周は、外縁部から円形形状の中心に向かって外縁部から内側１ｃｍまでの領域の全てを含む。また、基材が長さ４０ｃｍ、高さ２０ｃｍを有する長方形（例えば、多角形）を有する場合、外周は、短い端の外縁部から長方形の中心点に向かって４ｃｍ内側までの領域、及び長い端の外縁部から長方形の中心点に向かって２ｃｍ内側までの領域の全てを含む。典型的には、第２の基材は、第１の基材の外周の少なくとも約７５％、又は８５％、又は９０％、かつ第１の基材の外周の最大約９５％、又は９８％、又は１００％に沿って第１の基材に封止される。第１の基材の外周の少なくとも一部に沿った封止に加えて、第１の基材の外周の内側の別個の点の点接着（又はピン接着）も必要に応じて更に用いられる。点接着を行うことの利点の１つは、グアニジン官能化パーライト粒子が第１の基材と第２の基材との間に最初に配置される場所に留まるグアニジン官能化パーライト粒子に更なる安定性を与えることである。
【０１０５】
第２の基材に対する第１の基材の封止は、例えば、これらに限定されるものではないが、超音波シーリング、熱シーリング、接着剤シーリング、縫合、又はこれらの組み合わせを含む、当該技術分野では周知の様々な適当な方法によって実現することができる。超音波シーリングは好ましい方法であり得、少なくとも約１５０ジュール（Ｊ）、又は１７５Ｊ、又は２００Ｊ、又は更には２２５Ｊ〜約２００Ｊ、２２５Ｊ、又は更には２５０Ｊ以下、例えば、１５０Ｊ〜２５０Ｊ（端点を含む。）のエネルギー設定値で典型的には行われる。特定の実施形態では、超音波シーリングが積層物品を１つの工程で同時に封止及び切断することにより、積層物品を基材から個々に分離する必要を除く。
【０１０６】
本開示の積層物品は、（ａ）複数の上記のグアニジン官能化パーライト粒子を準備する工程と、（ｂ）上記の第１の基材を準備する工程と、（ｃ）上記の第２の基材を準備する工程と、（ｄ）第１の基材と第２の基材との間に複数のグアニジン官能化パーライト粒子を配置する工程と、（ｅ）（上記に述べたように）第２の基材を、第１の基材の外周の少なくとも一部に沿って第１の基材に封止する工程と、を含む、プロセスによって調製することができる。
【０１０７】
第４の態様では、流体試料中の微生物又は標的細胞検体を検出する方法が提供される。本方法は、（上記に述べたように）第３の態様に係る積層物品を準備する工程と、少なくとも１種類の微生物株又は標的細胞検体を含有すると疑われる流体試料を準備する工程と、を含む。本方法は、少なくとも１種類の微生物株又は標的細胞検体の少なくとも一部分が積層物品に結合するように流体試料を積層物品と接触させる工程と、少なくとも１種類の結合した微生物株又は結合した標的細胞検体の存在を検出する工程と、を更に含む。
【０１０８】
本開示に係る方法は、２つの物質間に接触をもたらす、様々な既知の方法又は今後開発される方法のいずれによっても実施可能である。例えば、積層物品又は不織布物品を流体試料に加えてもよいし、流体試料をそれら物品に加えてもよい。例えば、試料は、積層物品又は不織布物品の上又は中（好ましくは中）を通過することができる。不織布物品の場合、接触させる工程は、任意により、試料が繊維性多孔質マトリックスの細孔（例えば、貫通孔）を通過させるように実施される。積層物品の場合、接触させる工程は、任意により、試料が第１の基材、少なくとも１つのグアニジン官能化パーライト粒子、及び第２の基材を通過させるように実施される。本開示の実施形態においては、濾過装置は、液体を通過させるための入口及び出口ポートを有する容器と、容器内に収容された本開示の積層物品又は不織布物品と、を含む。
【０１０９】
接触させる工程は、所望の時間に渡って行うことができる（例えば、数リットルの試料量、又は積層物品若しくは不織布物品を複数回通過させるプロセスでは、最大で約６０分、又は約１５秒〜約３０分、又は約１５秒〜約１５分、又は約１５秒〜約１０分、又は約１５秒〜約５分、又は更には約１５秒〜約２分の接触が有用であり得る。）。
【０１１０】
接触させる工程は、試料を少なくとも１回（好ましくは１回のみ）積層物品又は不織布物品に通過させる（例えば、重力、真空、又は圧送により）ことにより行うことができる。基本的には任意のタイプのポンプ（例えば、蠕動ポンプ）、又は液体を通過させるための入口及び出口ポートを有する好適な容器（例えば、シリンジ又はプランジャ）内に収容される不織布物品又は積層物品の試料に渡った圧力差を作り出すための他の機器を用いることができる。有用な流速は、流体試料マトリックスの性質及び特定用途などの要因に応じて異なる。有利な点として、本開示の不織布物品及び積層物品は、流体試料を物品に効果的に通過させる上で物品の両側で極めて低い圧力差しか必要としない。この特性は、例えば、流体試料を処理するために利用可能なポンプがないか又は低出力である場合に、又は工業用水試料などの複雑な試料マトリックスを取り扱う際に特に有用である。本開示の一実施形態では、接触させる工程は、流体試料を１４．７ポンド／平方インチ（ｐｓｉ）（１０１．３キロパスカル（ｋＰａ））以下、又は４．０ポンド／平方インチ（ｐｓｉ）（２７．５８キロパスカル（ｋＰａ））以下、又は３．０ｐｓｉ（２０．６８ｋＰａ）、又は２．０ｐｓｉ（１３．７９ｋＰａ）、又は１．０ｐｓｉ（６．９ｋＰａ）、又は０．９ｐｓｉ（６．２１ｋＰａ）、又は０．８ｐｓｉ（５．５２ｋＰａ）、又は０．７ｐｓｉ（４．８３ｋＰａ）、又は０．６ｐｓｉ（４．１４ｋＰａ）、又は更には０．５ｐｓｉ（３．４５ｋＰａ）以下の圧力、及び少なくとも０．４ｐｓｉ（２．７６ｋＰａ）、又は少なくとも０．５ｐｓｉ（３．４５ｋＰａ）の圧力で不織布物品又は積層物品に通過させることを含む。
【０１１１】
有利な点として、本開示の積層物品はグアニジン官能化パーライト粒子を充分に封入し、第１及び第２の基材が一体性を保つため、積層物品は、濁度試験に基づいて、０．２比濁計濁度単位（ＮＴＵ）未満、又は０．１５ＮＴＵ未満、又は０．１０ＮＴＵ未満の濁度を与える。濁度試験は、積層物品の使用の間にグアニジン官能化パーライト粒子及び／又は基材からどれぐらいの量（もしあれば）の材料（例えば、繊維及び／又は粒子）が、脱落し得るかの指標となるものである。濁度試験は、例えば、流体試料が飲料水である場合のように、積層物品と接触させられる流体試料が接触の後で使用されることを意図している場合に特に重要である。濁度試験は、「飲料水における装置及び保護材料の衛生安全評価の基準（Standard for Hygienic Safety Evaluation of Equipment and ProtectiveMaterials in Drinking Water）」（規格番号ＧＢ／Ｔ  １７２１９−１９９８）に基づいたものであり、以下のようなものである。即ち、積層試料の４７ｍｍのディスクを２．５Ｌの真空濾過装置（サイドアームを有するもの）内に置き、脱イオン水で３０分間、継続的に洗い流す。この後、試料を取り出し、７０ｍＬの脱イオン水の入ったガラスビン中に２４時間置く。水試料のアリコートを、ＭＩＣＲＯ１００ＴＵＲＢＩＤＩＭＥＴＥＲ（ＨＦ  ｓｃｉｅｎｔｉｆｉｃ（Ｆｏｒｔ  Ｍｙｅｒｓ，ＦＬ）より販売されるもの）などの濁度計を使用して濁度について分析する。７０ｍＬの試料から２つの２５ｍＬの試料を濁度測定に使用する。７０ｍＬの脱イオン水の一定の量を対照とする。
【０１１２】
第５の態様では、流体試料中の微生物又は標的細胞検体を検出する別の方法が提供される。本方法は、（上記に述べたように）第２の態様に係る複数のグアニジン官能化パーライト粒子を提供する工程と、少なくとも１種類の微生物株又は標的細胞検体を含有すると疑われる流体試料を準備する工程と、を含む。本方法は、少なくとも１種類の微生物株又は標的細胞検体の少なくとも一部分がグアニジン官能化パーライト粒子に結合するように流体試料を複数のグアニジン官能化パーライト粒子と接触させる工程と、少なくとも１種類の結合した微生物株又は結合した標的細胞検体の存在を検出する工程と、を更に含む。
【０１１３】
流体試料を複数のグアニジン官能化パーライト粒子と接触させる工程は、典型的には、粒子の少なくとも一部分を流体試料に分散させることを含む。所望により、グアニジン官能化パーライト粒子及び流体試料は、様々な任意の容器内に合わせて入れられる（任意の追加順序を用いて）（所望により、しかしながら好ましくは、キャップ付き、閉鎖、又は密閉された容器であり、より好ましくは、キャップ付きの試験管、瓶、又は広口瓶である。）。本発明のプロセスを実施するために用いられるのに好適な容器は、個々の試料によって決定され、量及び性質により大きく異なり得る。例えば、容器は１０マイクロリットル容器（例えば、試験管）などの小さいものであり得、又は１００ミリリットル〜３リットル容器（例えば、三角フラスコ又はポリプロピレン製広口瓶）などの大きいものであり得る。流体試料に直接接触する容器、及びその他の器具又は添加剤は、使用前に滅菌することができ（例えば、制御された熱、エチレンオキシドガス、過酸化水素、又は放射線によって）、これにより検出エラーを起こし得る試料の汚染を低減又は防ぐことができる。特定の試料の微生物及び／又は細胞検体を捕捉又は濃縮するための、検出を成功させるのに十分なグアニジン官能化パーライト粒子の量は、場合によって異なり（例えば、濃縮剤の性質及び形態並びに試料量に依存する。）、当業者によって容易に決定できる。例えば、一部の用途については、試料ミリリットル当たり、１０ミリグラムのグアニジン官能化パーライト粒子が有用であり得る。
【０１１４】
必要に応じて、流体試料の中に少なくとも１回、グアニジン官能化パーライト粒子を通過させることにより（例えば、約１０分間に渡って重力沈殿（gravitational settling）に依存することによって）、接触は効果的なものになり得る。接触は、混合によって（例えば、撹拌、振盪、又は揺動台の使用によって）強化することができ、これによりグアニジン官能化パーライトの粒子が流体試料の大部分を通って繰り返し通過又は沈殿することができる。マイクロリットルオーダーの少量の容量（典型的には０．５ミリリットル未満）の場合、混合は、例えば、米国特許第５，２３８，８１２号（Ｃｏｕｌｔｅｒ  ｅｔ  ａｌ．）に記載のように、ボルテックス又は「転動（nutation）」などの急速なものであり得る。約０．５ミリリットル以上の、より大量の容量（典型的には０．５ミリリットル〜３リットル）の場合、混合は、例えば、米国特許第５，５７６，１８５号（Ｃｏｕｌｔｅｒ  ｅｔ  ａｌ．）に記載のように、微粒子濃縮剤及び試料を「上下回転」させる方法で穏やかに混転することにより達成できる。このような混転は、例えば、試験管又は他のタイプの反応容器を支えるよう構成された装置を用い、試験管又は容器を「上下転倒」させる方法でゆっくりと回転させて達成することができる。接触は、望むだけの時間、実施することができる（例えば、試料量が約１００ミリリットル以下の場合、最高約６０分間の接触が有用であり得、好ましくは、約１５秒〜約１０分又はそれ以上、より好ましくは、約１５秒〜約５分の接触が有用であり得る。）。
【０１１５】
よって、混合（例えば、攪拌、揺動、又はかき混ぜ）及び／又は培養（例えば、周囲温度で）は任意ではあるが、微生物とグアニジン官能化パーライト粒子との接触を増加させるために好ましい。特定の実施形態では、接触は、微生物含有流体試料をグアニジン官能化パーライト粒子と混合する工程（例えば、約１５秒〜約５分）と、培養する工程（例えば、約３分〜約３０分）との両方が含まれる。望ましい場合は、１種類以上の添加剤（例えば、溶解試薬、生物発光検定試薬、核酸捕捉試薬（例えば、磁石ビーズ）、微生物増殖培地、緩衝液（例えば、固体試料の分散又は抽出のため）、微生物染色試薬、洗浄用緩衝液（例えば、結合していない物質を洗い流すため）、溶出試薬（例えば、血清アルブミン）、界面活性剤（例えば、Ｕｎｉｏｎ  Ｃａｒｂｉｄｅ  Ｃｈｅｍｉｃａｌｓ  ａｎｄ  Ｐｌａｓｔｉｃｓ（Ｈｏｕｓｔｏｎ，ＴＸ）から販売されているＴｒｉｔｏｎ  Ｘ−１００非イオン系界面活性剤）、及び機械的磨耗／溶出試薬（例えば、ガラスビーズ）など）が、グアニジン官能化パーライト粒子及び流体試料の組み合わせ内に含まれ得る。
【０１１６】
所望により、本方法は更に、結果として得られる微生物が結合したグアニジン官能化パーライト粒子の凝離（segregation）を含む。このような凝離は、少なくとも部分的に重力沈殿（例えば、約５分〜約３０分に渡る重力沈降）に依存することによって達成できることが好ましい。しかしながら、いくつかの場合において、凝離を促進すること（例えば、遠心分子又は濾過によって）又は任意の凝離方法の組み合わせを使用することが望ましいことがある。
【０１１７】
所望により、本方法は更に、結果として得られる微生物が結合したグアニジン官能化パーライト粒子及び流体試料を凝離することを含む。これには、凝離により生じた上澄みの除去又は分離を含み得る。上澄みの分離は、当該技術分野において周知の数多くの方法によって実施することができる（例えば、上澄みをデカント又は吸い上げることによって、プロセスを実施するのに使用した容器又は管の底に、微生物が結合したグアニジン官能化パーライト粒子を残すことができる。）。本方法は、手動で（例えば、バッチ式で）行うことができ、又は（例えば、連続的又は半連続的処理を可能にするように）自動化することができる。
【０１１８】
流体試料は、様々な異なるタイプの試料から提供されてよく、医療、環境、食品、飼料、臨床、及び検査室の試料、及びこれらの組み合わせなどを含むが、これらに限定されない。医療又は獣医試料としては、例えば、臨床診断のために検査される生物源（例えば、ヒト又は動物）から得た細胞、組織、又は流体を挙げることができる。環境試料は、例えば、医療施設又は獣医学施設（例えば、ルーメン型装置などの医療用品の洗浄で出た洗浄液（rinsate））、工業施設（例えば、随伴水及び冷却塔水）、土壌、水源、食品調理領域（食品接触及び非接触領域）、又は検査室から得たものであり得る。使用することができる試料の例としては、飲料（例えば、ジュース、ビール、又は炭酸飲料）、水（飲料水を含む。）、及び生物学的液体などが挙げられる。
【０１１９】
液体の形態、又は液体中の固体の分散液若しくは懸濁液の形態で得られる流体試料は、直接使用することができ、あるいは濃縮して（例えば、遠心分離により）又は希釈して（例えば、緩衝（ｐＨ調整された）溶液の追加により）使用することができる。固体又は半固体形態の試料は、例えば、所望により、流動体媒質（例えば、緩衝溶液）で洗浄若しくはすすぎ、又は流体媒質中に懸濁若しくは分散させるなどの方法により抽出され得る。試料は表面から（例えば、スワブ又はすすぎにより）採取され得る。好ましくは、試料は、少なくとも流体である（例えば、液体、気体、又は液体中若しくは気体中の固体若しくは液体の分散体若しくは懸濁物）。
【０１２０】
試料量は、特定の用途に応じて異なり得る。例えば、診断又は研究用途の場合には、流体試料量は、典型的には、マイクロリットルの範囲とわずかであり得る（例えば、１０マイクロリットル以上）。濾過処理が飲料水安全性試験のために使用される場合、試料量は典型的には、ミリリットル〜リットルの範囲であり得る（例えば、１００ミリリットル〜３リットル）。工業用途及び住宅用途においては、この量は、数万リットルにもなる場合がある。
【０１２１】
所望により、１種類又は２種類以上の添加剤（例えば、溶解試薬、生物発光検定試薬、核酸捕捉試薬（例えば、磁石ビーズ）、微生物増殖培地、緩衝液（例えば、固体試料を湿らせるための）、微生物染色試薬、洗浄用緩衝液（例えば、結合していない物質を洗い流すための）、溶出試薬（例えば、血清アルブミン）、界面活性剤（例えば、Ｕｎｉｏｎ  Ｃａｒｂｉｄｅ  Ｃｈｅｍｉｃａｌｓ  ａｎｄ  Ｐｌａｓｔｉｃｓ（Ｈｏｕｓｔｏｎ，ＴＸ）より販売される非イオン系界面活性剤である「ＴＲＩＴＯＮ  Ｘ−１００」）、及び吸着緩衝液などが、接触後の流体試料及びグアニジン官能化パーライト粒子、不織布物品、又は積層物品の組み合わせの中に含まれ得る。
【０１２２】
例えば、細菌、菌類、酵母菌、原生動物、ウイルス（無エンベロープウイルスウイルスとエンベロープウイルスの両方を含む。）、真菌胞子、細菌内生胞子（例えば、バチルス（炭疽菌、セレウス菌、及び枯草菌を含む。）、及びクロストリジウム（ボツリヌス菌、クロストリジウム・デフィシレ、及びウェルシュ菌を含む。））など、及びこれらの組み合わせ、例えば、グラム陰性菌、グラム陽性菌、酵母、菌類、及びこれらの組み合わせを含む、種々の微生物が本開示の不織布物品及び方法を使用して濃縮及び検出できる。本開示の方法を使用して濃縮及び検出できる標的細胞検体としては、核酸、タンパク質、アデノシン三リン酸（ＡＴＰ）、又はこれらの組み合わせが挙げられる。
【０１２３】
所望により、本方法は、グアニジン官能化パーライト粒子、不織布物品、又は積層物品と接触させる前に、流体試料を粗目フィルタに通過させることを更に含む。このようなフィルタの使用により、流体試料から微粒子を除去できるが、さもなければ、物品が詰まったり、接触を妨げ得る。好適な粗目フィルタとしては、例えば、少なくとも１マイクロメートル、少なくとも５マイクロメートル、少なくとも１０マイクロメートル、少なくとも２５マイクロメートル、又は少なくとも５０マイクロメートルの細孔径を有するフィルタが挙げられるが、これらに限定されない。
【０１２４】
特定の実施形態では、本方法は、検出前に、少なくとも１種類の微生物株又は標的細胞検体が結合する積層物品、不織布物品、又はグアニジン官能化パーライト粒子を洗浄することを更に含む。残留試料マトリックスなどの汚染物質は、結合又は捕捉した微生物及び／又は細胞検体を著しく失うことなく除去できることが発見されている。特定の実施形態では、洗浄する工程としては、例えば、滅菌脱イオン水若しくは瓶詰めの飲料水ですすぐ工程、又は塩水溶液若しくは緩衝液ですすぐ工程が挙げられるが、これらに限定されない。積層物品、不織布物品、又はグアニジン官能化パーライト粒子を洗浄する工程は、諸成分を除去する傾向があるが、さもなければこれらの成分は、利用する特定の検出法によっては結合した微生物及び／又は細胞検体の存在の検出を妨げ得る。
【０１２５】
特定の実施形態では、結合した微生物株又は結合した標的細胞検体を検出する工程は、グアニジン官能化パーライト粒子、積層物品、又は不織布物品を、それを通して検出シグナルを検出できる物質を含む受け部（receptacle）に配置する工程を含み、受け部は少なくとも１種類の試薬を含む。例えば、試薬と接触させて微生物株又は標的細胞検体が結合した物質を配置する工程は、所望により、グアニジン官能化パーライト粒子、積層物品、又は不織布物品を、効率的に操作できるように（operationally）ルミノメータに接続されるように構成された受け部に配置する工程を含み、受け部は少なくとも１種類の試薬を含む。したがって、このような実施形態において、検出は、結合した微生物株及び／又は標的細胞検体と少なくとも１種類の試薬との反応によって生じる光の測定を行うためにルミノメータに受け部を配置することによって容易になる。同様に、受け部は、特定の検出法によって他のタイプの器具と連携できる。特定の実施形態では、試薬と接触させて微生物株又は標的細胞検体が結合したグアニジン官能化パーライト粒子、積層物品、又は不織布物品を配置する工程は、少なくとも１種類の試薬を含む受け部に物質を押し込む工程を含む。好適な受け部、例えば、少なくとも１種類の試薬を含む受け部の非限定的な例としては、３Ｍ  Ｃｏｍｐａｎｙ（Ｓｔ．Ｐａｕｌ，Ｍｉｎｎ．）より販売される３Ｍ  ＣＬＥＡＮ−ＴＲＡＣＥ  Ｓｕｒｆａｃｅ  ＡＴＰ  Ｓｗａｂ，Ｈｙｇｉｅｎａ（Ｃａｍａｒｉｌｌｏ，Ｃａｌｉｆ．）より販売されるＡＱＵＡＳＮＡＰ  ＡＴＰ  Ｗａｔｅｒ  Ｔｅｓｔ，Ｎｅｏｇｅｎ  Ｃｏｒｐｏｒａｔｉｏｎ（Ｌａｎｓｉｎｇ，Ｍｉｃｈ．）より販売されるＡＣＣＵＰＯＩＮＴ  ２  ＡＴＰ  Ｓａｎｉｔａｔｉｏｎ  Ｍｏｎｉｔｏｒｉｎｇ  Ｓｙｓｔｅｍ、及びＨｙｇｉｅｎａより販売されるＰＲＯ−ＣＬＥＡＮ  Ｒａｐｉｄ  Ｐｒｏｔｅｉｎ  Ｒｅｓｉｄｕｅ  Ｔｅｓｔが挙げられる。
【０１２６】
微生物株及び／又は標的細胞検体は、グアニジン官能化パーライト粒子、積層物品、又は不織布物品により捕捉された状態から除去される必要なく検出可能であることが発見された。微生物株及び／又は標的細胞検体を検出前に物質から溶出することを必要とする方法と比べて、必要な方法工程の数が減るので、グアニジン官能化パーライト粒子、積層物品、又は不織布物品に付着した微生物株及び／又は標的細胞検体を検出することが可能であることは、有利である。更に、グアニジン官能化パーライト粒子、積層物品、又は不織布物品は微生物株及び／又は標的細胞検体を物質の体積（volume）内に濃縮し、この体積は典型的には、流体試料量よりもかなり小さい。
【０１２７】
グアニジン官能化パーライト粒子、積層物品、又は不織布物品により捕捉又は結合された（例えば、吸着、吸収、又は篩い分けによる）微生物及び／又は細胞検体は、現在知られている、又は今後開発される本質的に任意の所望の方法によって検出可能である。このような方法には、例えば、培養による方法、顕微鏡（例えば、透過光型顕微鏡又はエピ蛍光顕微鏡（蛍光染料で標識した微生物を可視化するために使用することができる。））及びその他の画像手法、免疫学的検出法、並びに遺伝子学的検出法が挙げられる。微生物及び／又は細胞検体を捕捉した後の検出プロセスは、所望により、試料マトリックス成分を除去するための洗浄、染色、沸騰、又は溶出緩衝液若しくは溶解剤を使用して細胞検体を不織布物品から解放することなどを含んでよい。
【０１２８】
免疫学的検出は、標的生物に由来する抗原物質の検出であり、これは一般的に、細菌又はウイルス粒子の表面にあるマーカーとして作用する生物学的分子（例えば、タンパク質又はプロテオグリカン）である。抗原物質の検出は、典型的には、抗体、ファージディスプレイなどの方法から選択されるポリペプチド、又はスクリーニング方法から得られたアプタマーによるものであり得る。
【０１２９】
免疫学的検出方法は周知であり、例えば、免疫沈降及び酵素結合免疫吸着検査法（ＥＬＩＳＡ）が挙げられる。抗体結合は、様々な方法で（例えば、一次抗体又は二次抗体のいずれかを、蛍光染料で、量子ドットで、又は化学発光若しくは着色基質を生成し得る酵素で標識し、かつプレートリーダ又はラテラルフローデバイスのいずれかを使用することによって）検出され得る。
【０１３０】
検出は、遺伝子学的試験によって（例えば、核酸ハイブリッド形成又はプライマーを用いた増幅によって）実行することもできる。捕捉又は結合された微生物が溶解されて、それらの遺伝子学的物質（例えば、細胞検体）を試験に利用可能なものにする。溶解方法は周知であり、これには例えば、超音波処理、浸透性ショック、高温処理（例えば、約５０℃〜約１００℃）、及びリゾチーム、グルコラーゼ、チモラーゼ（zymolose）、リチカーゼ、プロテイナーゼＫ、プロテイナーゼＥ、及びウイルスエンドリシン（enolysins）などの酵素と共にインキュベーションすることが挙げられる。
【０１３１】
多くの一般的に使用されている遺伝子学的検出試験は、ＤＮＡ及び／又はＲＮＡを含む、特定の微生物の核酸を検出する。遺伝子学的検出方法に使用される条件の厳密性は、検出される核酸配列の変異レベルに相関する。塩濃度及び温度の非常に厳密な条件は、検出を標的の正確な核酸配列に限定することができる。このように、標的核酸配列において小さな変異を有する微生物株は、非常に厳密な遺伝子学的試験を使用して区別することができる。遺伝子学的検出は、一本鎖核酸プローブが微生物の変性核酸にハイブリッド化してプローブ鎖を含む二本鎖核酸が生成される、核酸ハイブリダイゼーションに基づいて行われる。当業者であれば、ゲル電気泳動、細管式電気泳動、又はその他の分離方法の後でハイブリッドを検出するための、放射性、蛍光、及び化学発光標識などのプローブ標識に精通している。
【０１３２】
特に有用な遺伝子学的検出方法は、プライマーを用いた核酸増幅に基づくものである。プライマーを用いた核酸増幅方法には、例えば、熱サイクル方法（例えば、ポリメラーゼ連鎖反応（ＰＣＲ）、逆転写ポリメラーゼ連鎖反応（ＲＴ−ＰＣＲ）、及びリガーゼ連鎖反応（ＬＣＲ））、並びに等温方法及び鎖置換増幅（ＳＤＡ）（及びこれらの組み合わせ、好ましくはＰＣＲ又はＲＴ−ＰＣＲ）が挙げられる。増幅された生成物を検出するための方法としては、例えば、ゲル電気泳動分離及び臭化エチジウム染色、並びに生成物中に組み込んだ蛍光標識又は放射性標識の検出が挙げられるが、これらに限定されない。増幅生成物の検出前に分離工程を必要としない方法（例えば、リアルタイムＰＣＲ又はホモジニアス検出法）も使用することができる。
【０１３３】
生物発光検出法は周知であり、例えば米国特許第７，４２２，８６８号（Ｆａｎ  ｅｔ  ａｌ．）に記述されているものを含むアデノシン三リン酸（ＡＴＰ）検出法が挙げられる。ＡＴＰについての生物発光検出法としては、多くの場合、ルシフェラーゼ酵素がＡＴＰ及び２価カチオン（マグネシウム又はカルシウムなど）の存在下でルシフェリンの酸化を触媒する既知のルシフェリン−ルシフェラーゼシステムが挙げられる。他の発光に基づく検出方法も利用され得る。
【０１３４】
多くの実施形態では、検出は、培養による検出法、画像化検出法、蛍光に基づく検出法、比色検出法、免疫学的検出法、遺伝子学的検出法、生物発光に基づく検出法、又はこれらの組み合わせを含む。
【０１３５】
グアニジン官能化パーライト粒子、不織布物品、積層物品、及び流体試料中の微生物又は標的細胞検体を検出する方法を含む種々の実施形態が提供される。
【０１３６】
実施形態１は、ａ）繊維性多孔質マトリックスと、ｂ）繊維性多孔質マトリックス内に捕らえられた複数のグアニジン官能化パーライト粒子と、を含む不織布物品である。
【０１３７】
実施形態２は、繊維性多孔質マトリックスが不織繊維を含む、実施形態１に記載の不織布物品である。
【０１３８】
実施形態３は、繊維性多孔質マトリックスがポリマー繊維を含む、実施形態１又は２に記載の不織布物品である。
【０１３９】
実施形態４は、ポリマー繊維がポリアミド、ポリオレフィン、ポリスルホン、又はこれらの組み合わせを含む、実施形態１〜３のいずれか１つに記載の不織布物品である。
【０１４０】
実施形態５は、繊維性多孔質マトリックスがフィブリル化ポリオレフィンポリマー繊維を含む、実施形態１〜４のいずれか１つに記載の不織布物品である。
【０１４１】
実施形態６は、繊維性多孔質マトリックスが無機繊維を更に含む、実施形態１〜５のいずれか１つに記載の不織布物品である。
【０１４２】
実施形態７は、無機繊維がガラス繊維、セラミック繊維、又はこれらの組み合わせを含む、実施形態６に記載の不織布物品である。
【０１４３】
実施形態８は、繊維性多孔質マトリックスが不織繊維から本質的になる、実施形態１〜７のいずれか１つに記載の不織布物品である。
【０１４４】
実施形態９は、不織布物品が不織布物品の総乾燥重量に基づいて５〜５５重量％のグアニジン官能化パーライト粒子と、不織布物品の総乾燥重量に基づいて４５〜９５重量％の繊維性多孔質マトリックスと、を含む、実施形態１〜８のいずれか１つに記載の不織布物品である。
【０１４５】
実施形態１０は、不織布物品が不織布物品の総乾燥重量に基づいて２０〜５０重量％のグアニジン官能化パーライト粒子と、不織布物品の総乾燥重量に基づいて５０〜８０重量％の繊維性多孔質マトリックスと、を含む、実施形態１〜９のいずれか１つに記載の不織布物品である。
【０１４６】
実施形態１１は、繊維性多孔質マトリックスがポリマー繊維及び無機繊維を含む不織繊維層である、実施形態１〜１０のいずれか１つに記載の不織布物品である。
【０１４７】
実施形態１２は、繊維性多孔質マトリックスが不織繊維層であり、グアニジン官能化パーライト粒子が不織繊維層全体に分布している、実施形態１〜１１のいずれか１つに記載の不織布物品である。
【０１４８】
実施形態１３は、不織繊維層がポリオレフィン繊維及びガラス繊維を含む、実施形態１２に記載の不織布物品である。
【０１４９】
実施形態１４は、無機繊維及びポリマー繊維は５０ミリメートル未満の平均長さを有する、実施形態１３に記載の不織布物品である。
【０１５０】
実施形態１５は、繊維性多孔質マトリックスが捲縮していないポリマー繊維を含む不織繊維層である、実施形態１〜１４のいずれか１つに記載の不織布物品である。
【０１５１】
実施形態１６は、グアニジン官能化パーライト粒子のそれぞれが、以下の式、
Ｘ３−ｎＲａｎＳｉ−Ｙ−Ｇ
［式中、
ｎは、０、１、又は２であり、
各Ｒａは、存在する場合には、独立してアルキル、アラルキル、又はアリールであり、
Ｙは、２〜２０個の炭素原子を有するアルキレンを含む２価の基であり、
Ｇは、式−ＮＨ−Ｃ（＝ＮＨ）−ＮＨ２で表されるグアニジン基であり、
各Ｘは、独立してアルコキシ又はアシルオキシである。］を有する少なくとも１個のシランによって修飾されたパーライト粒子を含む、実施形態１〜１５のいずれか１つに記載の不織布物品である。
【０１５２】
実施形態１７は、２価の基が、アリーレン、オキシ、−ＮＨ−、又はこれらの組み合わせを更に含む、実施形態１６に記載の不織布物品である。
【０１５３】
実施形態１８は、２価の基が、３〜６個の炭素原子を有するアルキレンである、実施形態１６又は１７に記載の不織布物品である。
【０１５４】
実施形態１９は、グアニジン基が、第１級アミンとＯ−メチルイソ尿素塩との反応生成物である、実施形態１６〜１８のいずれか１つに記載の不織布物品である。
【０１５５】
実施形態２０は、リンカーが３−アミノプロピルトリメトキシシランである、実施形態１６〜１９のいずれか１つに記載の不織布物品である。
【０１５６】
実施形態２１は、リガンドが、パーライト粒子の１個以上のヒドロキシル基とリガンドのシランカップリング剤部分の１個以上の反応性の基との反応生成物である、実施形態１４〜１８のいずれか１つに記載の不織布物品である。
【０１５７】
実施形態２２は、グアニジン官能化パーライト粒子が、Ｘ線光電子分光法（ＸＰＳ）によって測定したとき、少なくとも２原子パーセントの表面窒素濃度を有する、実施形態１〜１９のいずれか１つに記載の不織布物品である。
【０１５８】
実施形態２３は、グアニジン官能化パーライト粒子が、Ｘ線光電子分光法（ＸＰＳ）によって測定したとき、最大１２原子パーセントの表面窒素濃度を有する、実施形態１〜２０のいずれか１つに記載の不織布物品である。
【０１５９】
実施形態２４は、繊維性多孔質マトリックスが０．１５ミリメートル〜１ミリメートルの厚さを有する、実施形態１〜２１のいずれか１つに記載の不織布物品である。
【０１６０】
実施形態２５は、以下の式、
Ｘ３−ｎＲａｎＳｉ−Ｙ−Ｇ
［式中、
ｎは、０、１、又は２であり、
各Ｒａは、存在する場合には、独立してアルキル、アラルキル、又はアリールであり、
Ｙは、２〜２０個の炭素原子を有するアルキレンを含む２価の基であり、
Ｇは、式−ＮＨ−Ｃ（＝ＮＨ）−ＮＨ２で表されるグアニジン基であり、
各Ｘは、独立してアルコキシ又はアシルオキシである。］を有する少なくとも１個のシランによって修飾されたパーライト粒子を含グアニジン官能化パーライト粒子である。
【０１６１】
実施形態２６は、２価の基が、アリーレン、オキシ、−ＮＨ−、又はこれらの組み合わせを更に含む、実施形態２５に記載のグアニジン官能化パーライト粒子である。
【０１６２】
実施形態２７は、２価の基が、３〜６個の炭素原子を有するアルキレンである、実施形態２５又は２６に記載のグアニジン官能化パーライト粒子である。
【０１６３】
実施形態２８は、グアニジン基が、第１級アミンとＯ−メチルイソ尿素塩との反応生成物である、実施形態２５〜２７のいずれか１つに記載のグアニジン官能化パーライト粒子である。
【０１６４】
実施形態２９は、リンカーが３−アミノプロピルトリメトキシシランである、実施形態２５〜２８のいずれか１つに記載のグアニジン官能化パーライト粒子である。
【０１６５】
実施形態３０は、Ｘ線光電子分光法（ＸＰＳ）によって測定したとき、少なくとも２原子パーセントの表面窒素濃度を有する、実施形態２５〜２９のいずれか１つに記載のグアニジン官能化パーライト粒子である。
【０１６６】
実施形態３１は、Ｘ線光電子分光法（ＸＰＳ）によって測定したとき、最大１２原子パーセントの表面窒素濃度を有する、実施形態２５〜３０のいずれか１つに記載のグアニジン官能化パーライト粒子である。
【０１６７】
実施形態３２は、ａ）第１の基材と、ｂ）第１の基材の外周の少なくとも一部に沿って第１の基材に封止された第２の基材と、ｃ）第１の基材と第２の基材との間に配置された複数のグアニジン官能化パーライト粒子と、を含む積層物品である。
【０１６８】
実施形態３３は、グアニジン官能化パーライト粒子のそれぞれが、式Ｘ３−ｎＲａｎＳｉ−Ｙ−Ｇを有する少なくとも１個のシランによって修飾されたパーライト粒子を含む、実施形態３２に記載の積層物品である。式中、ｎは、０、１、又は２であり、各Ｒａは、存在する場合には、独立してアルキル、アラルキル、又はアリールである。式中、Ｙは、２〜２０個の炭素原子を有するアルキレンを含む２価の基であり、Ｇは、式−ＮＨ−Ｃ（＝ＮＨ）−ＮＨ２のグアニジン基であり、各Ｘは、独立してアルコキシ又はアシルオキシである。
【０１６９】
実施形態３４は、第１の基材及び第２の基材が、スパンボンドポリプロピレン、スパンボンドポリアミド、ポリアミドとポリエステルとのスパンボンドブレンド、スパンボンドポリエチレン、スパンボンドポリエステル、スパンボンドポリブチレンテレフタレート、及びスパンボンドポリプロピレンから独立して選択される、実施形態３２又は３３に記載の積層物品である。
【０１７０】
実施形態３５は、第１の基材及び第２の基材が、スパンボンドポリプロピレン、及びポリアミドとポリエステルとのスパンボンドブレンドから独立して選択される、実施形態３２〜３４のいずれか１つに記載の積層物品である。
【０１７１】
実施形態３６は、第１の基材及び第２の基材が、１０〜２００ｇｓｍ（端点を含む。）の１平方メートル当りのグラム数で表される坪量（ｇｓｍ）を有するスパンボンド材料を独立して含む、実施形態３２〜３５のいずれか１つに記載の積層物品である。
【０１７２】
実施形態３７は、第１の基材及び第２の基材が、５５〜１００ｇｓｍ（端点を含む。）の１平方メートル当りのグラム数で表される坪量（ｇｓｍ）を有するスパンボンド材料を独立して含む、実施形態３２〜３６のいずれか１つに記載の積層物品である。
【０１７３】
実施形態３８は、第１の基材及び第２の基材が、１０〜３０マイクロメートル（μｍ）（端点を含む。）の繊維直径を有するスパンボンド材料を独立して含む、実施形態３２〜３７のいずれか１つに記載の積層物品である。
【０１７４】
実施形態３９は、第１の基材及び第２の基材が同一材料を含む、実施形態３２〜３８のいずれか１つに記載の積層物品である。
【０１７５】
実施形態４０は、第２の基材が、第１の基材の外周の最大１００％に沿って第１の基材に封止される、実施形態３２〜３９のいずれか１つに記載の積層物品である。
【０１７６】
実施形態４１は、積層物品が、濁度試験に基づき、０．２比濁計濁度単位（ＮＴＵ）未満の濁度をもたらす、実施形態３２〜４０のいずれか１つに記載の積層物品である。
【０１７７】
実施形態４２は、第１の基材が、円形形状又は多角形形状を有する、実施形態３２〜４１のいずれか１つに記載の積層物品である。
【０１７８】
実施形態４３は、第１の基材及び第２の基材の少なくとも一方が、親水化された基材を含む、実施形態３２〜４２のいずれか１つに記載の積層物品である。
【０１７９】
実施形態４４は、第１の基材及び第２の基材のそれぞれが液体透過性である、実施形態３２〜４３のいずれか１つに記載の積層物品である。
【０１８０】
実施形態４５は、流体試料中の微生物又は標的細胞検体を検出する方法である。当該方法は、ａ）実施形態３２〜４４のいずれか１つに記載の積層物品を準備する工程と、ｂ）少なくとも１種類の微生物株又は標的細胞検体を含有すると疑われる流体試料を準備する工程と、ｃ）少なくとも１種類の微生物株又は標的細胞検体の少なくとも一部分が積層物品に結合するように流体試料を積層物品と接触させる工程と、ｄ）少なくとも１種類の結合した微生物株又は結合した標的細胞検体の存在を検出する工程と、を含む。
【０１８１】
実施形態４６は、流体試料中の微生物又は標的細胞検体を検出する方法である。当該方法は、ａ）実施形態２５〜３１のいずれか１つに記載の複数のグアニジン官能化パーライト粒子を準備する工程と、ｂ）少なくとも１種類の微生物株又は標的細胞検体を含有すると疑われる流体試料を準備する工程と、ｃ）少なくとも１種類の微生物株又は標的細胞検体の少なくとも一部分がグアニジン官能化パーライト粒子に結合するように流体試料を複数のグアニジン官能化パーライト粒子と接触させる工程と、ｄ）少なくとも１種類の結合した微生物株又は結合した標的細胞検体の存在を検出する工程と、を含む。
【０１８２】
実施形態４７は、検出する工程が、培養による検出法、画像化検出法、免疫学的検出法、遺伝子学的検出法、生物発光検出法、又はこれらの組み合わせを含む、実施形態４５又は４６に記載の方法である。
【０１８３】
実施形態４８は、検出する工程が生物発光法を含む、実施形態４５〜４７のいずれか１つに記載の方法である。
【０１８４】
実施形態４９は、少なくとも１種類の結合した微生物株を溶解剤と接触させる工程を更に含む、実施形態４５〜４８のいずれか１つに記載の方法である。
【０１８５】
実施形態５０は、結合した標的細胞検体が、核酸、タンパク質、細胞壁成分、ＡＴＰ、又はこれらの組み合わせを含む、実施形態４５〜４９のいずれか１つに記載の方法である。
【０１８６】
実施形態５１は、結合した標的細胞検体がＡＴＰを含む、実施形態４５〜５０のいずれか１つに記載の方法である。
【０１８７】
実施形態５２は、接触させる工程が流体試料を積層物品に少なくとも一回通過させる工程を含む、実施形態４５に記載の方法である。
【０１８８】
実施形態５３は、接触させる工程が、流体試料を、４．０ポンド／平方インチ（ｐｓｉ）（２７．５８キロパスカル（ｋＰａ））以下の圧力で積層物品に通過させる工程を含む、実施形態４５又は５２に記載の方法である。
【０１８９】
実施形態５４は、接触させる工程が、流体試料を、０．５ｐｓｉ（３．４ｋＰａ）以下の圧力で積層物品に通過させる工程を含む、実施形態４５又は５２に記載の方法である。
【０１９０】
実施形態５５は、微生物株が、細菌株、真菌類、原生動物、ウイルス、細菌内生胞子、及びこれらの組み合わせから選択される、実施形態４５〜５４のいずれか１つに記載の方法である。
【０１９１】
実施形態５６は、不織布物品が約１５０〜約３５０ｇ／ｍ２の範囲の秤量を有する、実施形態１〜２４のいずれか１つに記載の不織布物品である。
【実施例】
【０１９２】
特に指示がない限り、実施例において使用される全ての化学物質はＳｉｇｍａ−Ａｌｄｒｉｃｈ  Ｃｏｒｐ．（Ｓａｉｎｔ  Ｌｏｕｉｓ，ＭＯ）から得ることができる。本明細書において別途記載のない限り、全ての微生物学的な補給品及び試薬は、Ｓｉｇｍａ−Ａｌｄｒｉｃｈ又はＶＷＲのいずれかから標準製品として購入されたものである。
【表１】
0006767992.tif 000011
【０１９３】
グアニル化パーライト粒子の調製
実施例１
無水メタノール（８５ｍＬ）に溶解させた３−アミノプロピルトリメトキシシラン（１７．９ｇ、１００ｍｍｏｌ）溶液を、Ｏ−メチルイソ尿素ヘミ硫酸塩（１２．３ｇ、５０ｍｍｏｌ）で処理した。反応混合物を、一晩、窒素雰囲気下で撹拌した。この溶液の一部分（５０ｇ）を５００ｍＬ丸底フラスコに移し、２００ｍＬの無水メタノールで希釈した。次に、パーライト４１０６粒子（５０ｇ）をフラスコに加え、脱イオン水（０．９ｍＬ、５０ｍｍｏｌ）を添加した。混合物を、３日間素早く撹拌し、トリメトキシシランと粒子との反応を促した。得られたグアニジン官能化パーライト粒子を、濾過により単離し、メタノール、水の順ですすぎ、空気乾燥させておいた。次に、真空オーブン中、７０℃にて一晩、粒子を乾燥させた。ＥＣＳＡで測定したときの窒素濃度％は下表１に示す。
【表２】
0006767992.tif 000012
【０１９４】
グアニル化パーライトのＡＴＰ捕捉試験
実施例２
（実施例１の）グアニジン官能化パーライト粉末及び未処理パーライト（比較例１、ＣＥ１）のそれぞれ１２ｍｇずつを、キュベットに等分した。各試料１ミリリットル当たりが約３０００ＲＬＵのＡＴＰシグナルを含む（水１ミリリットル当たり約７マイクロリットルのＡＴＰ標準液）ように、ＡＴＰ標準液を含有するＡＴＰ添加水試料ストックを調製した。キュベットチューブには、１ミリリットルの添加試料を加え、チューブに蓋をし、チューブを１０分間、１４サイクル／分で回転台（Ｔｈｅｒｍｏｌｙｎｅ  ＶＡＲＩ  ＭＩＸ  ｒｏｃｋｉｎｇ  ｐｌａｔｆｏｒｍ（Ｂａｒｎｓｔｅａｄ  Ｉｎｔｅｒｎａｔｉｏｎａｌ，Ｉｏｗａ））に設置した。次にチューブを試験管立てに置き、１０分間、粉末を沈殿させた。上澄み試料を別のキュベットへと取り除き、そのうちの１００マイクロリットルを取り、ＡＴＰアッセイを試験した。
【０１９５】
３００マイクロリットルの量のルシフェラーゼ酵素を、沈殿した粉末を含むキュベットに加えた。内容物を５秒間ボルテックスして混合し、次に、キュベットをアダプタ（ＤＥＬＲＩＮ  ｍａｔｅｒｉａｌにより製造された特注の１２センチメートル（ｃｍ）長、１ｃｍ直径のもの）に接続し、ＮＧルミノメータで読み取った。同様に、３００マイクロリットルの量のルシフェラーゼ酵素をキュベットに加え、１０秒間、ボルテックスミキサで混合した。キュベットをアダプタに接続し、ＮＧルミノメータで読み取った。上澄みは、物質収支の用途のために分析した。添加ストックのうちの１００マイクロリットルの量をＡＴＰシグナルに関して試験し、これは、１ミリリットルの試験用試料の説明のために１０を乗じた。平均総ＡＴＰシグナルは、試料１ｍＬ当たりのＲＬＵ単位で３１８．７５×１０＝３１８７．５ＲＬＵ＝３１８８ＲＬＵであった。
％ＡＴＰ捕捉＝（沈殿した粉末のＲＬＵ／１ｍＬの添加試料のＲＬＵ）×１００
結果を以下の表２に報告する。
【表３】
0006767992.tif 000013
【０１９６】
バックグラウンド対照として１ｍＬの水（ＡＴＰなし）を用いて、パーライト粉末を用いる同一の試験を準備した。実施例１のグアニジン官能化粉末のバックグラウンドＡＴＰシグナルは、２．３ＲＬＵであったが、ＣＥ１のパーライト粉末のものは３．６ＲＬＵであった。
【０１９７】
グアニル化パーライトを含有する繊維性多孔質マトリックスの調製
実施例３及び４
下表３に示すような異なる量の繊維１、繊維２、繊維３、及び繊維４を混合することにより、２つの繊維プレミックスを調製した。４Ｌのブレンダ（ＶＷＲ（Ｒａｄｎｏｒ，ＰＡ）より「ＷＡＲＩＮＧ  ＣＯＭＭＥＲＣＩＡＬ  ＨＥＡＶＹ  ＤＵＴＹ  ＢＬＥＮＤＥＲ、モデル３７ＢＬ８４」の商品名で販売されるもの）中で、繊維を３リットルの冷たい脱イオン水に加え、低速で３０秒間ブレンドした。この混合物を塊（nit）又は凝集（clump）のない均一な繊維分散体となっているかどうかについて検査した。実施例１からのグアニジン官能化パーライト粒子に更に１リットルの脱イオン水を加えて、低速で１５秒間混合した。
【０１９８】
底部の細かいメッシュスクリーンとドレイン弁を備える、測定値約３０センチメートル（１２インチ）平方及び高さ３０センチメートル（１２インチ）の箱を有する、パッド作製装置（Ｗｉｌｌｉａｍｓ  Ａｐｐａｒａｔｕｓ（Ｗａｔｅｒｔｏｗｎ，ＮＹ）から商品名「ＴＡＰＰＩ」で入手）を使用して、不織繊維性多孔質フェルトを調製した。このスクリーン上に、約１４インチ×１２インチのポリエチレンスパンボンド（ＰＥＴ  Ｌｕｔｒａｄｕｒ  ７２４０、Ｆｉｂｅｒｗｅｂ（Ｃｉｎｃｉｎｎａｔｉ，ＯＨ）から入手）を、スクリーン上のスクリムとして堆積させた。この箱のスクリーンの上方約１センチメートルの高さにまで水道水を満たした。各繊維及び更なる混合物を箱に注ぎ入れ、バルブを直ちに開くと真空が形成されこれにより箱から水が引き出された。
【０１９９】
この繊維性多孔質フェルトを、装置から２０センチメートル四方の吸取紙のシート（Ａｎｃｈｏｒ  Ｐａｐｅｒ（Ｓｔ．Ｐａｕｌ，ＭＮ）より入手した９６ポンド白色紙）上に転写した。この繊維性多孔質フェルトを２〜４層の吸取紙の間に挟み、余分な水を吸い取らせた。続いてプレス後の繊維性多孔質フェルトを吸取紙の新たなシート上に移し、１１０℃に設定したオーブン（ＳＰＸ  Ｔｈｅｒｍａｌ  Ｐｒｏｄｕｃｔ  Ｓｏｌｕｔｉｏｎｓ（Ｗｈｉｔｅ  Ｄｅｅｒ，ＰＡ）から入手、商品名「ＢＬＵＥ  Ｍ  ＳＴＡＢＩＬ−ＴＨＥＲＭ  ＯＶＥＮ，ＭＯＤＥＬ  ＯＶ−５６０Ａ２」）内に、約３時間に渡って置いておき、残りの水分を除去し、不織繊維性多孔質マトリックスを形成させた。得られた実施例３の繊維性多孔質マトリックスは約０．８〜１ミリメートルの厚さであり、実施例４の繊維性多孔質マトリックスは０．５〜０．８ｍｍの厚さであった。
【表４】
0006767992.tif 000014
【０２００】
大腸菌及び黄色ブドウ球菌の細菌捕捉及びＡＴＰアッセイについてのグアニル化パーライトを含む繊維性多孔質マトリックスの試験
大腸菌（ＡＴＣＣ５１８１３、グラム陰性微生物）の画線培養から１つのコロニーを１０ｍＬのＴＳＢ（Ｄｉｆｃｏからのトリプチックソイブロス、３重量％）に播種し、３７℃で約２０時間、一晩インキュベートした。得られた細菌ストックは、約１×１０９ｃｆｕ／ｍＬを含んでいた。このストックは順次、脱イオン水で希釈し、１×１０５ｃｆｕ／ｍＬの作業ストックを作製した。
【０２０１】
実施例３の繊維性多孔質マトリックスから１４ｍｍのディスクを打抜き、１３ｍｍフィルタホルダ（Ｍｉｌｌｉｐｏｒｅから入手したＳＷＩＮＮＥＸホルダ）に挿入した。大腸菌の上記作業ストック１ｍＬを１ｃｃシリンジを使用して各ディスクに通し、濾過した。濾液は廃棄した。各ディスクをホルダから抜き、キュベットに入れた。１００マイクロリットルの量の溶解試薬をディスクに加え、１０秒間ボルテックスした。３００マイクロリットルの量のルシフェラーゼ酵素をキュベットに加え、１０秒間ボルテックスした。キュベットをアダプタ（３Ｍ  ｍａｃｈｉｎｅ  ｓｈｏｐの特注、ＤＥＬＲＩＮ  ｍａｔｅｒｉａｌにより製造された１２ｃｍ長、１ｃｍ直径のもの）に接続し、ＮＧルミノメータで読み取った。１ｍＬの未添加脱イオン水を濾過するディスクも、バックグラウンドＡＴＰシグナルについて試験した。もう１セットのディスクを準備し、そのディスクに１００マイクロリットルの量の１×１０５ｃｆｕ／ｍＬ希釈液を添加した。この添加ディスクをＡＴＰシグナル（ＲＬＵ）について試験したところ、「１００％対照」試料であった。実施例４の繊維性多孔質マトリックスの１４ｍｍディスクについても、実施例３のマトリックスに関して記述したように試験した。捕捉効率は下式を使用して計算される。結果を表４に示す。
％捕捉効率＝（試験用繊維性多孔質マトリックスディスクのＲＬＵ／１００％対照のＲＬＵ）×１００
【表５】
0006767992.tif 000015
【０２０２】
実施例３及び４の繊維性多孔質マトリックスを使用した黄色ブドウ球菌（ＡＴＣ６５３８、グラム陽性微生物）の捕捉及び検出は、大腸菌に関して上述した方法に従って行った。その結果を下表５に示す。
【表６】
0006767992.tif 000016
【０２０３】
グアニル化ケイソウ土の調製
比較例３
ケイソウ土粒子５０ｇを実施例１に係る上記の方法に従ってグアニル化したが、ただし、（５０ｇの部分ではなく）反応混合物溶液の４８ｇの部分を５００ｍＬ丸底フラスコに移し、２００ｍＬの無水メタノールで希釈した。真空オーブン中、７０℃にて一晩、粒子を乾燥させ、４７ｇのグアニジン官能化ケイソウ土を得た。ＥＣＳＡで測定したときの窒素濃度％は下表６に示す。
【表７】
0006767992.tif 000017
【０２０４】
グアニル化ＤＥのＡＴＰ捕捉試験
比較例３（ＣＥ３）のグアニジン官能化ケイソウ土（ＤＥ）粉末及び未処理ＤＥ粉末（比較例４、ＣＥ４）のそれぞれ１２ｍｇずつを、キュベットに等分した。各試料１ｍＬ当たりが約３０００ＲＬＵのＡＴＰシグナルを含む（水１ｍＬ当たり約３２マイクロリットルのＡＴＰ標準液）ように、ＡＴＰ標準液を含有するＡＴＰ添加水試料ストックを調製した。試験は上記の実施例２に記述するとおりに行った。平均総ＡＴＰシグナルは、試料１ｍＬ当たりのＲＬＵ単位で２４０×１０＝２４００ＲＬＵであった。％ＡＴＰ対照＝（沈殿した粉末のＲＬＵ／１ｍＬの添加試料のＲＬＵ）×１００。その結果を下表７に示す。
【表８】
0006767992.tif 000018
【０２０５】
バックグラウンド対照として１ｍＬの水（ＡＴＰなし）を用いて、ＤＥ粉末を用いる同一の試験を準備した。ＣＥ３のグアニジン官能化ＤＥ粉末のバックグラウンドＡＴＰシグナルは、６ＲＬＵであったが、ＣＥ４のＤＥ粉末のものは４．５ＲＬＵであった。
【０２０６】
グアニル化パーライト４７６及び４１５６の調製
実施例９及び１０
パーライト４７６粒子及びパーライト４１５６粒子（それぞれ５０ｇ）を実施例１で上述されるようにグアニル化したが、ただし、（５０ｇの部分ではなく）反応混合物溶液の４８ｇを５００ｍＬ丸底フラスコに移し、２００ｍＬの無水メタノールで希釈した。真空オーブン中、６０℃にて一晩、粒子を乾燥させ、それぞれ４９ｇのグアニジン官能化パーライト４７６粒子（実施例９）及びグアニジン官能化パーライト４１５６粒子（実施例１０）を得た。ＥＣＳＡで測定したときの窒素濃度％は下表８に示す。
【表９】
0006767992.tif 000019
【０２０７】
グアニル化パーライト４７６及びパーライト４１５６のＡＴＰ捕捉試験
実施例１１及び１２
グアニジン官能化パーライト４７６（実施例１１）、未処理パーライト４７６（比較例５、ＣＥ５）、グアニジン官能化パーライト４１５６（実施例１２）、及び未処理パーライト４１５６（比較例６、ＣＥ６）の粉末のそれぞれ１２ｍｇずつを、キュベットに等分した。各試料１ｍＬ当たりが約３０００ＲＬＵのＡＴＰシグナルを含む（水１ｍＬ当たり約３２マイクロリットルのＡＴＰ標準液）ように、ＡＴＰ標準液を含有するＡＴＰ添加水試料ストックを調製した。試験は上記の実施例２に記述するとおりに行った。平均総ＡＴＰシグナルは、試料１ｍＬ当たりのＲＬＵ単位で２４０×１０＝２４００ＲＬＵであった。％ＡＴＰ対照＝（沈殿した粉末のＲＬＵ／１ｍＬの添加試料のＲＬＵ）×１００。その結果を下表９に示す。
【表１０】
0006767992.tif 000020
【０２０８】
バックグラウンド対照として１ｍＬの水（ＡＴＰなし）を用いて、粉末を用いる同一の試験を準備した。グアニジン官能化パーライト４７６粉末のバックグラウンドＡＴＰシグナルは４０ＲＬＵであり、ＣＥ５は７ＲＬＵであり、グアニジン官能化パーライト４１５６粉末は４１ＲＬＵであり、ＣＥ６は４ＲＬＵであった。グアニジン官能化パーライト４７６及び４１５６のバックグラウンドシグナルはＡＴＰ捕捉シグナルから減算された。
【０２０９】
随伴水（Produced water）試料における迅速な微生物監視のための実施例３の試験
随伴水試料はカナダの油井から入手した。試料は、ＢＢＬ緩衝液で順次希釈され、ＰＡＣプレートで１ｍＬずつ培養した。製造業者の説明書に従って、プレートを３７℃で４８時間インキュベートした。３Ｍ  ＰＥＴＲＩＦＩＬＭプレートリーダを使用して、プレートの細菌数を分析した。各試料の１００マイクロリットルの量をキュベットに加え、１４５マイクロリットルのＣＬＥＡＮ−ＴＲＡＣＥ  Ｗａｔｅｒ−Ｐｌｕｓ総ＡＴＰ抽出剤と混合し、１０秒間ボルテックスした。４５０マイクロリットルの量のＣＬＥＡＮ−ＴＲＡＣＥ  Ｗａｔｅｒ−Ｐｌｕｓ総ＡＴＰ酵素を加え、１０秒間混合した。アダプタを使用して（実施例５及び６に関して上述される）、キュベットをＮＧルミノメータに挿入し、ＡＴＰシグナルを測定した。
【０２１０】
濾過した量、コロニー数、及びＡＴＰ値に基づいて、実施例３の不織繊維性多孔質マトリックスを用いた微生物試験のために２つの試料を更に選択した。試料Ｅ（比較例８、ＣＥ８）は、約３×１０２ｃｆｕ／ｍＬ、２５ＲＬＵの遊離（非微生物）ＡＴＰシグナル、及び４６ＲＬＵの総ＡＴＰシグナルを有していた。試料Ｇ（比較例９、ＣＥ９）は、約４．７×１０５ｃｆｕ／ｍＬ、３９ＲＬＵの遊離（非微生物）ＡＴＰシグナル、及び３１５ＲＬＵの総ＡＴＰシグナルを有していた。
【０２１１】
各随伴水試料から１０ｍＬの量を実施例３の繊維性多孔質マトリックスの１４ｍｍディスク及び０．２２ミクロンフィルタ（比較例７、ＣＥ７）を通して処理し、濾過能力を評価した。詰まりにより貫流が停止したら、濾過は終了とした。詰まるまでの量を下表１０に示す。
【表１１】
0006767992.tif 000021
【０２１２】
実施例３の不織繊維性多孔質マトリックススから１４ｍｍのディスクを打抜き、１３ｍｍフィルタホルダ（Ｍｉｌｌｉｐｏｒｅから入手したＳＷＩＮＮＥＸホルダ）に挿入した。随伴水試料Ｅ１０ｍＬを１０ｃｃシリンジを使用してディスクに通し濾過した。濾液は廃棄した。ディスクはホルダから取り除き、随伴水試料について上述したようにＡＴＰシグナルを試験した。第２のディスクを同じように処理したが、ただし、これは１０ｍＬの脱イオン水で洗浄してから、ＡＴＰシグナルについて分析した。
【０２１３】
１０ｍＬの未添加脱イオン水を濾過する繊維性多孔質マトリックスディスクは、バックグラウンドＡＴＰシグナルについて試験した。バックグラウンドシグナルは２５３ＲＬＵであり、試験読み取り値から減算した。（不織繊維性多孔質マトリックスにおいて細菌を濃縮することなく）ＣＬＥＡＮ−ＴＲＡＣＥ試験での捕捉細菌からのＡＴＰシグナルの改善は下式を使用して計算した。その結果を下表１１に示す。
【０２１４】
（不織繊維性多孔質マトリックスにおいて細菌を濃縮することなく）ＣＬＥＡＮ−ＴＲＡＣＥ試験でのＡＴＰシグナルの増加倍率＝（濾過後の湿式積層ディスクのＲＬＵ／１００マイクロリットルの未濾過試料のＲＬＵ）。
【０２１５】
ＣＥ８及び実施例３のマトリックスのディスク（洗浄済み及び未洗浄）の遊離（非微生物）ＡＴＰ含有量は、４５０マイクロリットルのＣＬＥＡＮ−ＴＲＡＣＥ  Ｗａｔｅｒ−Ｐｌｕｓ総ＡＴＰ酵素を使用し、１０秒間混合し、ＮＧルミノメータでＡＴＰシグナルを読み取ることにより分析した。
【表１２】
0006767992.tif 000022
【０２１６】
比較例８及び９は、Ｍｉｃｒｏ  １００濁度計を使用して濁度を評価した。脱イオン水を標準試料として使用した。ＣＥ８は１３８ＮＴＵの平均濁度を有し、ＣＥ９は０．９６の平均濁度を有していて、脱イオン水は０．０２ＮＴＵの濁度を有していた。実施例ＣＥ８は、測定値を得るために脱イオン水で４倍に希釈しなければならなかった。したがって、ＣＥ８の報告された濁度は実際の測定値の４倍（４×３４．５）である。
【０２１７】
試験における変動は、マトリックスの干渉を示唆している。洗浄後のＡＴＰシグナルの改善は、阻害物質のキャリーオーバーの減少を示すが、これにより、ＡＴＰアッセイは洗浄後の随伴水試料の迅速な監視に使用できる。
【０２１８】
スパンボンドスクリム内において固定化されたグアニル化パーライト（仮想例）
実施例１のグアニジン官能化粒子の平均細孔径未満の平均細孔径を有するスパンボンド基材を、清浄な実験台に平らに置く。基材上の１６ｍｍ直径の円形領域をマークする。実施例１の物質の１５ｍｇアリコートを量り分け、マークした領域に置く。これを３回繰り返し、３つの複製試料を作製する。もう１枚のスパンボンド基材のシートを、量り分けた粉末のある領域上に平らに置く。上部のシートを注意深く偏平にする。マークした領域は、ＢＲＡＮＳＯＮ  ２０００ｄ  ＵＬＴＲＡＳＯＮＩＣ  ＷＥＬＤＥＲを使用して超音波溶着する。超音波ホーンは、１８ｍｍの外径及び１６ｍｍの内径を有する。溶着は、２５０ジュールの設定にて平坦なアルミニウムプレートで行う。
【０２１９】
溶着された積層物品は、はさみを使用して切断され、実施例２に上述したように、ＡＴＰ捕捉試験のためにＳｗｉｎｎｅｘホルダに置く。簡潔に言えば、１ミリリットルの脱イオン水に約３０００ＲＬＵのＡＴＰを添加し、１ｃｃシリンジを使用して積層物品に通して濾過する。濾過後、積層物品をフィルタホルダから取り除き、キュベットに加える。１４５マイクロリットルのＣＬＥＡＮ−ＴＲＡＣＥ  Ｗａｔｅｒ−Ｐｌｕｓ総ＡＴＰ抽出剤をキュベットに加える。キュベットを１０秒間、ボルテックスする。４５０マイクロリットルの量のＣＬＥＡＮ−ＴＲＡＣＥ  Ｗａｔｅｒ−Ｐｌｕｓ総ＡＴＰ酵素を加えた後、１０秒間混合する。キュベットを（上記実施例２に記載の）アダプタに接続し、ＮＧルミノメータで読み取る。
【０２２０】
積層物品についても、１ｍＬの未添加脱イオン水を積層物品に通して濾過することによりバックグラウンドシグナルに関して試験する。バックグラウンドシグナルを試験シグナルから減算する。ストックＡＴＰ溶液の１００マイクロリットルアリコートを試験し、シグナルを生じさせるが、シグナルに１０を乗じて「１００％対照」シグナルが得られる。％ＡＴＰ対照＝（積層物品のＲＬＵ／１ｍＬの添加試料のＲＬＵ）×１００。
【０２２１】
本明細書では、特定の例示的実施形態が詳細に説明されてきたが、当業者には、上述の説明を理解した上で、これらの実施形態の代替物、変更物、及び等価物を容易に想起することができる点が、理解されるであろう。更には、本明細書で参照される全ての刊行物及び特許は、個々の刊行物又は特許を参照により組み込むことが、詳細かつ個別に指示されている場合と同じ程度で、それらの全容が参照により組み込まれる。様々な例示的実施形態が説明されてきた。これらの実施形態及び他の実施形態は、以下の特許請求の範囲に含まれるものである。
【図１】
0006767992.tif 000023
【図２】
0006767992.tif 000024